(57)【要約】【課題】網点の濃度等の条件を可変にし、印刷用紙の違いによる仕上がりの差が表現でき、特色を使用した印刷物の仕上がりを表現できるデジタルカラープルーフを形成できるようにする。また、少ない測定データから、種々の印刷条件に対応した高画質、再現性のよいのプルーフを効率的に実現するる。【解決手段】目標印刷物２の色特性を測定し、その測定値を、設定された条件に応じて、インキ条件、重ね刷りのノセ状態を変更するパラメータ演算手段９、紙質の条件を変更するレンダリング手段１０、及び経年変化等を補正するための機差補正手段を備え、測定値を変更或いは測定値に追加したカラーコレクションテーブル（濃度データ）が得られる構成とし、濃度データからプルーフ画像出力装置の光量への変換等の各種のデータ変換も容易にできる構成とした。【選択図】      図３
2004295053.tif 000002
【特許請求の範囲】
【請求項１】
印刷目標の色を、操作手段を操作して視覚的に設定可能に表示手段に表示する第１の表示段階と、
印刷物から前記設定された印刷目標の色ごとにその色を特定するための色特性を求めて出力する取得段階と、
予め準備されたプルーフ画像出力装置の色特性対基本色濃度の濃度特性テーブルを参照して、前記取得段階で出力される色特性を前記基本色の濃度に変換する変換段階と、
前記変換段階で変換された前記各色に対する前記基本色の濃度をテーブルとして記憶する記憶段階と、
前記記憶段階で記憶したテーブルのデータを前記プルーフ画像出力装置へ出力して印刷させる段階と、を備えた画像情報処理方法。
【請求項２】
前記色特性は、Ｌ＊ａ＊ｂ＊である請求項１記載の画像情報処理方法。
【請求項３】
基本色は、イエロー、マゼンダ及びシアンを含み、前記色には、前記基本色の組合せ及び／又はそれらの基本色の組合せと特色との組合せを含むことを特徴とする請求項１記載の画像情報処理方法。
【請求項４】
前記予め準備される前記プルーフ画像出力装置の色特性対基本色濃度の濃度特性テーブルは、前記プルーフ画像出力装置が画像を形成するために保有する露光手段の露光量を決定するためのものである請求項１記載の画像情報処理方法。
【請求項５】
前記取得段階と変換段階の間に、前記取得段階で取得された色の色特性を基に、前記取得段階で取得されていない、所望の色の色特性を演算して求める段階を有し、前記変換段階は、前記取得段階で取得された色の色特性及び前記演算して求めた色の色特性を基本色の濃度に変換することを特徴とする請求項１記載の画像情報処理方法。
【請求項６】
前記記憶手段が記憶する基本色の濃度の濃度テーブルを、前記プルーフ画像出力装置の感光材料特性を基に、画素単位の光量に変換する光量決定段階を有することを特徴とする請求項１、２、３、４、又は５に記載の画像情報処理方法。
【請求項７】
前記表示手段に、前記印刷物の材質固有の印刷特性及びその特性を調整入力可能に表示する第２の表示段階と、
前記第２の表示段階で表示された印刷特性及びその調整された印刷特性の入力に応じて、前記取得段階で取得された色特性を修正して前記変換段階へ送るレンダリング段階を有し、
前記変換手段は、修正された色特性について、基本色の濃度に変換することを特徴する請求項１、２、３、４、５又は６に記載の画像情報処理方法。
【請求項８】
色の重なりの下側の色を指定し、上側の色と視覚的に区別できるよう下側の色特性を調整する強調パラメータを入力可能に表示する第３の表示段階と、
前記入力された色の強調パラメータに応じて、前記取得段階が出力する色特性をパラメータ演算回路で修正して出力するパラメータ変更段階とを備え、
前記変換手段は、修正された色特性について、基本色の濃度に変換することを特徴する請求項１、２、３、４、５又は６に記載の画像情報処理方法。
【請求項９】
印刷に使用するインキの特性を入力可能に表示する第４の表示段階とを有し、
前記パラメータ変更段階で前記入力されたインキの特性に応じて前記パラメータ演算回路が色特性を修正して出力し、前記変換手段は、修正された色特性について、基本色の濃度に変換することを特徴する請求項８記載の画像情報処理方法。
【請求項１０】
予め基準となる前記印刷物を基準となる前記プルーフ画像出力装置で印刷したときに取得された基本色の濃度に基づいて標準データとして保有しておいて、前記変換段階で得られた前記基本色の濃度と前記標準データとを比較し、差分に応じて変換段で得られた基本色の濃度を補正する補正段階を有し、前記記憶手段は、前記補正段階で得られた基本色の濃度をテーブルとして記憶することを特徴とする請求項１、２、３、４、５又は６に記載の画像情報処理方法。
【請求項１１】
重ね刷りの一色を前記表示手段に指定可能に可能に表示するとともに、前記指定された一色について前記記憶手段を参照して指定された色見本を表示する第１のエジット段階と、
前記一色の色を表すパラメータを操作手段で補正可能に表示する第２のエジット段階と、
補正されたパラメータによる色を前記プルーフ画像出力装置で出力したと仮定した色をシミュレート計算し、そのシミュレートした色見本を表示する段階とを備え、
所望の刷り重ね色を前記色見本を視覚認識しながら編集できる請求項１、２、３、４、５又は６に記載の画像情報処理方法。
【請求項１２】
前記取得段階の取得は、測定によって行い、さらに、
色を指定し、濃度に影響するパラメータを入力可能に表示する段階と、
そのパラメータに基づいて、前記記憶手段の基本色の濃度テーブルを補正演算し、前記プルーフ画像出力装置に送って印刷させる段階と、
さらにその印刷物について測定した濃度値を表示するとともに、その濃度値を基に前記補正演算した濃度テーブルを更新する段階と、
を有し、測定結果をフィードバックできることを特徴とする請求項１、２、３、４，５又は６記載の出力画像制御方法。
【請求項１３】
印刷物の色を特定できる色特性を取得できる取得装置及び基本色の濃度に応じたデータを受けて前記印刷物に印刷するプルーフ画像出力装置とを制御して所望の印刷を行うための出力画像制御装置であって、
前記プルーフ画像出力装置の特性である色特性対基本色の濃度特性テーブルを記憶する記憶手段と、
前記取得装置から受けた、取得した色の前記色特性を所望の色に変更又は取得していない色を追加するため、条件を視覚的に入力操作可能に表示するＧＵＩ手段と、
前記ＧＵＩ手段で設定された条件で前記取得装置で取得された色の色特性を変更又は追加して出力する変更手段と、
前記変更手段から出力される各色についての色特性を前記濃度特性テーブルを参照して基本色の濃度データに変換する変換手段と、
前記変換手段から出力される基本色の濃度データを前記プルーフ画像出力装置へ送るために記憶する手段と、
を備えた画像情報処理装置。
【請求項１４】
前記ＧＵＩ手段は、前記印刷物の材質固有の印刷特性及びその特性を調整条件を入力可能に表示し、印刷に使用するインキの特性を入力設定可能に表示し、又は／及び、色の重なりの下側の色を指定して上側の色と視覚的に区別できるよう下側の色特性を調整する条件を入力可能に表示するとともに、設定された各条件を前記変更手段に送ることを特徴とする請求項１３記載の画像情報処理装置。
【請求項１５】
印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、
前記プルーフ画像出力装置の特性である色特性対基本色の濃度特性テーブル、及び予め基準となる前記印刷物を基準となるプルーフ画像出力装置で印刷したときの基本色の濃度に基づく標準データとを記憶する記憶手段と、
前記取得装置から受けた、取得した色の前記色特性を所望の色に変更又は取得していない色を追加するための条件を視覚的に入力操作可能に表示するＧＵＩ手段と、
前記ＧＵＩ手段で設定された条件で取得された色の色特性を変更又は追加して出力する変更手段と、
前記変更手段から出力される各色についての色特性を前記濃度特性テーブルを参照して基本色の濃度データに変換する変換手段と、
前記変換手段で得られた前記基本色の濃度と前記標準データとを比較し、差分に応じて変換手段で得られた基本色の濃度を補正する補正手段と、
前記補正手段から出力される基本色の濃度データを前記プルーフ画像出力装置へ送るために記憶する手段と、
を備えた画像情報処理装置。
【請求項１６】
印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、
前記プルーフ画像出力装置の特性である色特性対基本色の濃度特性テーブルを記憶する記憶手段と、
前記取得装置から受けた色特性を前記濃度特性テーブルを参照して基本色の濃度データに変換する変換手段と、
前記変換手段から出力される基本色の濃度データを前記プルーフ画像出力装置へ送るために記憶する手段と、
重ね刷りの一色を指定可能に表示し、かつ前記手段に記憶されたその指定の取得された色を読み出して色見本として表示するととも、その色見本の修正条件を入力可能に表示することによって、色編集を案内するＧＵＩ手段と、
前記入力された修正条件に基づいて、前記記憶する手段に記憶された基本色の濃度データを補正し、補正された濃度データによる色をシミュレート計算し、そのシミュレートした色を前記ＧＵＩ手段に送って、修正後の色見本として表示させるとともに、前記記憶する手段の濃度データを更新するためのシミュレート手段と、
を備えた画像情報処理装置。
【請求項１７】
印刷物の色を特定できる色特性を取得できる取得装置及び基本色の濃度に応じたデータを受けて前記印刷物に印刷するプルーフ画像出力装置とを制御して所望の印刷を行うための画像情報処理装置を備えた画像出力システムであって、
前記画像情報処理装置は、
前記プルーフ画像出力装置の特性である色特性対基本色の濃度特性テーブルを記憶する記憶手段と、
前記取得装置から受けた、取得した色の前記色特性を所望の色に変更又は取得していない色を追加するため条件を視覚的に入力操作可能に表示するＧＵＩ手段と、
前記ＧＵＩ手段で設定された条件で取得された色の色特性を変更又は追加して出力する変更手段と、
前記変更手段から出力される各色についての色特性を前記濃度特性テーブルを参照して基本色の濃度データに変換する変換手段と、
前記変換手段から出力される基本色の濃度データを前記プルーフ画像出力装置へ送るために記憶する手段と、
を備えたことを特徴とする画像出力システム。
【請求項１８】
網点を複数画素の集合体として面積階調の画像を形成する画像形成方法であって、
予めプルーフ画像出力装置の露光を行うための基本色の濃度対光量特性を取得しておく準備段階と、
目標印刷物の色の色特性を取得する取得段階と、
前記色特性を基に前記色特性に対する基本色の濃度を求める変換段階と
画素を識別する画素情報を出力する段階と、
前記画像情報を基に、前記濃度対光量特性を参照して、前記変換段階で求められた濃度を画素単位の光量に演算する段階とを備え、
画素単位で露光量を制御して印刷することを特徴とする画像形成方法。
【請求項１９】
前記取得段階と前記変換段階の間に、前記取得段階で取得された色の色特性を基に、取得されていない所望の色の色特性を演算する段階を備えた請求項１８記載の画像形成方法。
【請求項２０】
網点を複数画素の集合体として面積階調の画像を形成する画像出力システムであって、
予めプルーフ画像出力装置の露光を行うための基本色の濃度対光量特性を記憶して記憶手段と、
目標印刷物の色の色特性を取得する取得手段と、
前記色特性を基に前記色特性に対する基本色の濃度を求める変換手段と、
画素を識別する画素情報を出力する画素生成手段と、
前記画素情報を基に、前記濃度対光量特性を参照して、前記変換手段で求められた濃度を画素単位の光量に演算する演算手段とを備え、
画素単位で露光量を制御して印刷することを特徴とする画像出力システム。
【請求項２１】
前記取得手段と前記変換手段の間に、前記取得手段で取得された色の色特性を基に、取得されていない所望の色の色特性を演算する手段を備えた請求項２０記載の画像出力システム。
【請求項２２】
コンピュータに印刷物の色を特定できる色特性を取得できる取得装置と、基本色の濃度に応じたデータを受けて前記印刷物に印刷するプルーフ画像出力装置とを制御させて所望の印刷を行うためのコンピュータプログラムであって、
前記コンピュータに対して、
前記プルーフ画像出力装置の特性である色特性対基本色の濃度特性テーブル、及び予め基準となる前記印刷物を基準となる前記プルーフ画像出力装置で印刷したときの基本色の濃度を含む標準データとを記憶させ、
前記取得装置から受けた、取得した色の前記色特性を所望の色に変更又は取得していない色を追加するため条件を視覚的に入力操作可能に表示するＧＵＩを実行させ、
前記ＧＵＩで設定された条件で取得された色の色特性を変更又は追加して出力させ、
前記変更されて出力される各色についての色特性を前記濃度特性テーブルを参照して基本色の濃度データに変換させ、
前記変換で得られた前記基本色の濃度と前記標準データとを比較し、差分に応じて変換で得られた基本色の濃度を補正させ、
前記補正手段から出力される基本色の濃度データを前記プルーフ画像出力装置へ送らせるために記憶させる
ことを特徴とするコンピュータプログラム。
【請求項２３】
網点を複数画素の集合体として面積階調の画像を形成するために用いられるコンピュータプログラムであって、
コンピュータに対して、
予めプルーフ画像出力装置の露光を行うための基本色の濃度対光量特性を記憶させ、
目標印刷物の色の色特性を取得させ、
前記色特性を基に前記色特性に対する基本色の濃度を求めさせ、
画素を識別する画素情報を生成させ、
前記画素情報を基に、前記濃度対光量特性を参照して、前記求めた基本色の濃度を画素単位の光量に演算させる
ことを特徴とするコンピュータプログラム。
【請求項２４】
複数の印刷版により印刷される目標印刷物のデジタル画像データに基づいて、前記目標印刷物のプルーフである画像を画素の集合として形成するための画像情報処理方法であって、
前記目標印刷物に用いる１の版が、１または２以上の他の版を用いた印刷の上に重ねて印刷するようにして用いられる場合に、
前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、
前記色彩（１）と、前記１の版の画像部分が重なっておらず前記他の版の画像部分がある部分の色彩（２）との色差の絶対値をΔＥ２とし、
前記色彩（１）と、前記１の版の画像部分があって前記他の版の画像部分が印刷されていない部分の色彩（４）との色差の絶対値をΔＥ３とし、
前記ΔＥ２が前記ΔＥ３より大きい場合に、
前記色彩（３）が、以下の式（Ａ）を満たすように変更されることを特徴とする画像情報処理方法。
１≦ΔＥ１≦ΔＥ２−１・・・・・・・・・（Ａ）
【請求項２５】
複数の印刷版により印刷される目標印刷物のデジタル画像データに基づいて、前記目標印刷物のプルーフである画像を画素の集合として形成するための画像情報処理方法であって、
前記目標印刷物に用いる１の版が、１または２以上の他の版を用いた印刷の上に重ねて印刷するようにして用いられる場合に、
前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、
前記色彩（１）と、前記１の版の画像部分が重なっておらず前記他の版の画像部分がある部分の色彩（２）との色差の絶対値をΔＥ２とし、
前記色彩（１）と、前記１の版の画像部分があって前記他の版の画像部分が印刷されていない部分の色彩（４）との色差の絶対値をΔＥ３とし、
前記ΔＥ２が前記ΔＥ３より小さい場合に、
前記色彩（３）が、以下の式（Ｂ）を満たすように変更されることを特徴とする画像情報処理方法。
１≦ΔＥ１≦ΔＥ３−１・・・・・・・・（Ｂ）
【請求項２６】
複数のインキを重ねて印刷される目標印刷物のデジタル画像データに基づいて、前記目標印刷物のプルーフを画素の集合として形成する画像情報処理方法であって、
前記目標印刷物において１のインキが他のインキに重ねて印刷されている部分に対応する前記プルーフの画素の色彩（３）が、
前記画素の色彩（３）と、前記目標印刷物において前記他のインキだけが印刷される部分に対応する前記プルーフの画素の色彩（５）との色差の絶対値をΔＥ４とし、
前記目標印刷物において前記１のインキだけが印刷される部分に対応する前記プルーフの画素の色彩（６）と、前記画素の色彩（３）との色差の絶対値をΔＥ５とした場合に、
前記色彩（３）が、前記ΔＥ４と前記ΔＥ５との差の絶対値が前記目標印刷物の対応値より小さくなるように変更されることを特徴とする画像情報処理方法。
【請求項２７】
多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
前記画像情報処理手段は、前記色特性を前記目標印刷物の性質に応じて変更または追加する変更手段と、前記変更または追加された色特性を前記基本色濃度に変換する変換手段とを備え、
前記変更手段は、前記目標印刷物の印刷に用いる１の版が、１または２以上の他の版による印刷の上に重ねて印刷するようにして用いられる場合に、
前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、
前記色彩（１）と、前記１の版の画像部分が重なっておらず前記他の版の画像部分が有る部分の色彩（２）との色差の絶対値をΔＥ２とし、
前記色彩（１）と、前記１の版の画像部分が有って前記他の版の画像部分が印刷されていない部分の色彩（４）との色差の絶対値をΔＥ３とし、
前記性質が、前記ΔＥ２が前記ΔＥ３より大きいものである場合に、
前記色彩（３）を、以下の式（Ａ）を満たすように変更しうるものである画像出力システム。
１≦ΔＥ１≦ΔＥ２−１・・・・・・・・・（Ａ）
【請求項２８】
多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
前記画像情報処理手段は、前記色特性を前記目標印刷物の性質に応じて変更または追加する変更手段と、前記変更または追加された色特性を前記基本色濃度に変換する変換手段とを備え、
前記変更手段は、前記目標印刷物の印刷に用いる１の版が、１または２以上の他の版による印刷の上に重ねて印刷するようにして用いられる場合に、
前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、
前記色彩（１）と、前記１の版の画像部分が重なっておらず前記他の版の画像部分が有る部分の色彩（２）との色差の絶対値をΔＥ２とし、
前記色彩（１）と、前記１の版の画像部分が有って前記他の版の画像部分が印刷されていない部分の色彩（４）との色差の絶対値をΔＥ３とし、
前記性質が、前記ΔＥ２が前記ΔＥ３より小さいものである場合に、
前記色彩（３）を、以下の式（Ｂ）を満たすように変更しうるものである画像出力システム。
１≦ΔＥ１≦ΔＥ３−１・・・・・・・・（Ｂ）
【請求項２９】
複数のインキを用いて多色刷りされた目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
前記画像情報処理手段は、前記色特性を前記目標印刷物の性質に応じて変更する変更手段と、前記変更された色特性を前記基本色濃度に変換する変換手段とを備え、
前記変更手段は、前記目標印刷物において１のインキが他のインキに重ねて印刷されている部分に対応する前記プルーフの画素の色彩（３）が、
前記画素の色彩（３）と、前記目標印刷物において前記他のインキだけが印刷される部分に対応する前記プルーフの画素の色彩（５）との色差の絶対値をΔＥ４とし、
前記目標印刷物において前記１のインキだけが印刷される部分に対応する前記プルーフの画素の色彩（６）と、前記画素の色彩（３）との色差の絶対値をΔＥ５とした場合に、
前記色彩（３）が、前記ΔＥ４と前記ΔＥ５との差の絶対値が前記目標印刷物の対応値より小さくなるように変更しうるものである画像出力システム。
【請求項３０】
多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
前記画像情報処理手段は、前記色特性を前記目標印刷物の性質に応じて変更または追加する変更手段と、前記変更または追加された色特性を前記基本色濃度に変換する変換手段とを備え、
前記変更手段は、前記目標印刷物の印刷に用いる１の版が、１または２以上の他の版による印刷の上に重ねて印刷して用いられる場合に、前記重ねて印刷される部分に対応する前記プルーフの画素の各要素色濃度Ｄｊが、下記式（Ｃ）により演算されて前記色特性に追加されるものである画像出力システム。
Ｄｊ＝Ａｊ（Ｕ，Ｏ）×Ｏｊ＋Ｂｊ（Ｏ）×Ｕｊ・・・式（Ｃ）
（ここで、ｊはプルーフ画像を形成する色材（ここではＹ、Ｍ、Ｃの３種）を表し、Ｄｊは、目標印刷物で前記の重ねて印刷される部分に対応するプルーフの画素の、色材ｊの発色値を意味し、係数Ａｊは、あらかじめ与えられた前記１の版による上色のトラッピング率を意味し、係数Ｂｊは、あらかじめ与えられた上色のインキの透明度を意味し、Ｕｊは前記他の版による下色のカラーコレクションテーブルの値を意味し、Ｏｊは上色のカラーコレクションテーブルの値を意味する。また、０＜Ａｊ＜１、０＜Ｂｊ＜１であり、Ｄ（ｊ−１）＝Ｕｊである。）
【請求項３１】
変更手段が、式（Ｃ）により各要素色濃度Ｄｊが演算されるに際し、０．９５≧Ｂｊであるか、若しくは１つ以上の要素色濃度についてＯｊ≧０．１５である場合には、Ａｊがあらかじめ与えられた値より小さくなるように変更されると共に、Ｂｊがあらかじめ与えられた値より大きくなるように変更されて前記Ｄｊが演算され、
０．９５＜Ｂｊであり、かつ全ての要素色についてＯｊ＜０．１５である場合には、前記Ａｊがあらかじめ与えられた値より大きくなるように変更されると共に、前記Ｂｊがあらかじめ与えられた値より小さくなるように変更されて前記Ｄｊが演算されるものである請求項３０に記載の画像出力システム。
【請求項３２】
さらに、１の版に使用しうる１又は２以上のインキ分類に対応して係数Ａｊと係数Ｂｊを格納したインキ分類テーブルを備えると共に、前記１又は２以上のインキ分類のいずれかが選択されうるインキ分類選択手段を備え、変更手段がＤｊを演算するに際し、前記選択手段から１のインキ分類が選択された場合には、当該１のインキ分類に対応する係数Ａｊと係数Ｂｊを前記インキ分類テーブルから読み出して、前記演算が行われる請求項３０に記載の画像出力システム。
【請求項３３】
さらに、複数段階の強調度合いとそれに対応した係数Ａｊと係数Ｂｊとを格納した強調度合いテーブルを備えると共に、前記複数段階の強調度合いのいずれかが選択されうる強調度合い選択手段を備え、変更手段がＤｊを演算するに際し、前記選択手段から１の強調度合いが選択された場合に、当該１の強調度合いに対応する係数Ａｊと係数Ｂｊを前記強調度合いテーブルから読み出して、前記演算が行われる請求項３０に記載の画像出力システム。
【請求項３４】
１の版による印刷が、１または２以上の他の版による印刷の上に重ねて印刷された目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
前記１の版の画像部分と１または２以上の前記他の版の画像部分とが重なる部分の色彩（１）と、前記１の版の画像部分が重なっておらず前記他の版の画像部分が有る部分の色彩（２）との色差の絶対値ΔＥ２が、０＜ΔＥ２＜３を満たすか、若しくは、
前記色彩（１）と、前記１の版の画像部分があって前記他の版の画像部分が印刷されていない部分の色彩（４）との色差の絶対値ΔＥ３が、０＜ΔＥ３＜３を満たした場合に、アラートを発して、前記重なる部分の色変更をするかどうかの選択を促す警告手段を備える画像出力システム。
【請求項３５】
１の版による印刷が、１または２以上の他の版による印刷の上に重ねて印刷された目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とをコンピュータにより実行するための画像出力プログラムであって、さらに、
前記１の版の画像部分と１または２以上の前記他の版の画像部分とが重なる部分の色彩（１）と、前記１の版の画像部分が重なっておらず前記他の版の画像部分がある部分の色彩（２）との色差の絶対値ΔＥ２が、０＜ΔＥ２＜３を満たすか、若しくは、
前記色彩（１）と、前記１の版の画像部分があって前記他の版の画像部分が印刷されていない部分の色彩（４）との色差の絶対値ΔＥ３が、０＜ΔＥ３＜３を満たした場合に、アラートを発して、前記重なる部分の色変更をするかどうかの選択を促す警告手段を実行するための画像出力プログラム。
【請求項３６】
さらに、検版優先モードまたは通常モードを選択するモード選択手段を備え、前記検版優先モードがあらかじめ選択されており、かつアラートが発せられた場合に、あらかじめ指定された色変更を実行する自動色変更手段を備える請求項３４に記載の画像出力システム。
【請求項３７】
さらに、検版優先モードまたは通常モードを選択するモード選択手段と、前記検版優先モードがあらかじめ選択されており、かつアラートが発せられた場合に、あらかじめ指定された色変更を実行する自動色変更手段とをコンピュータに実行させるための請求項３５に記載の画像出力プログラム。
【請求項３８】
目標印刷物の１の版が、プロセスカラーを除くインキを用いる版である請求項２７、２８、３０〜３４、３６のいずれかに記載の画像出力システム。
【請求項３９】
画像処理システムが、目標印刷物のデジタル画像データに基づいて、濃度が独立に可変である要素色を組み合わされて形成された画素の集合により、前記目標印刷物のプルーフとしての面積階調画像を、支持体上に少なくとも３種の要素色を発色可能なハロゲン化銀乳剤層を有するハロゲン化銀感光材料を露光して形成するものである請求項２７〜３４、３６〜３８のいずれかに記載の画像処理システム。
【発明の詳細な説明】
【０００１】
【発明の属する技術分野】
本発明は、ユーザがコンピュータを操作して印刷物の仕上がりを事前に確認するプルーフを生成するため画像情報処理方法、画像出力装制御装置、画像出力システム及びコンピュータプログラムに関するものである。又、プルーフ画像の形成方法において、特にハロゲン化銀感光材料或いはハロゲン化銀カラー感光材料（以下、単に感光材料という）を好ましく用いることができるデジタルカラープルーフの生成に関する技術であり、少ない取得データから、種々の印刷条件に対応した高画質のプルーフ画像を効率的に得ることのできるデジタルカラープルーフの生成に関するものである。
【０００２】
【従来の技術】
印刷分野において、ハロゲン化銀感光材料は、高感度であること、色再現性に優れていること、連続処理に適していることから今日盛んに用いられている。こうした特徴からハロゲン化銀感光材料は、写真の分野のみではなく、印刷の分野でも、印刷の途中の段階で仕上がりの印刷物の状態をチェックするためのいわゆるプルーフの分野で広く用いられるようになってきている。
【０００３】
プルーフの分野では、コンピュータ上で編集された画像を印刷版製作用フィルムに出力し、現像済みのこのフィルムを適宜交換しつつ分解露光することによってイエロー（Ｙ）、マゼンタ（Ｍ）、シアン（Ｃ）の各画像を形成させ、最終印刷物の画像をカラー印画紙上に形成させることによりプルーフとし、対応する最終印刷物のレイアウトや色の適否を判断することが行われていた。
【０００４】
最近では、コンピュータ上で編集された画像を直接印刷版に出力する方式が徐々に普及してきており、このような場合にはコンピュータ上のデータから印刷版製作用フィルムを介することなく直接カラー画像を得ることが望まれていた。
【０００５】
このような目的には、昇華型・溶融熱転写方式や電子写真方式、インキジェット方式等種々の方式の応用が試みられてきたが、高画質な画像が得られる方式では費用がかかり生産性が劣るという欠点があり、費用が少なくてすみ生産性に優れた方式では画質が劣るという欠点があった。ハロゲン化銀感光材料を用いたシステムでは、優れた鮮鋭性等から、正確な網点画像が形成できるなど高画質な画像形成が可能であり、一方で上述したように連続した処理が可能であることや、複数の色画像形成ユニットに同時に画像を書き込むことができることから高い生産性を実現することが可能であった。
【０００６】
近年、印刷の分野でいわゆるデジタル化が進みコンピュータ内のデータから直接画像を得る要求が強まっており、ハロゲン化銀感光材料を直接ＬＥＤ等で露光する方式がこの分野で有利に使われ始めている。
【０００７】
このような方式においては、網点をさらに小さな単位（ここではこれを画素と表現した）に分割し、この画素を適切な露光量で露光する事によってその集合体として網点を再現することが可能である。例えとして簡単な例を挙げれば、１つの網点が１００個の画素で構成されるのであれば、５０個の画素を現像可能なように露光する事により網％が５０％の網点を形成する事ができる。印刷の特性を表現するのにドットゲインというパラメータが用いられるが、前記現像可能となる画素の数を変化させることによりドットゲインを変えることができる。この画素が、例えば印刷のイエロー（Ｙ）のインキとマゼンダ（Ｍ）のインキの重なった場所に存在する場合には、この画素を赤に発色させることにより再現することが可能となる。この時、プルーフ上では必ずしもＹとＭをえる条件を組み合わせる必要はなく別途（例えば、直接にＹ＋Ｍ相当の色を）設定することが可能である。これにより、色材の相違による視覚的なズレの調整などの大きなメリットを得ることができる。
【０００８】
また、印刷物においては、プロセスインキでは表現できない色や特殊な印刷効果を狙って、特色インキを使った印刷が行われる場合がある。
【０００９】
ハロゲン化銀感光材料を用いてデジタルデータに基づき面積階調画像を形成するシステムでは、各層の露光量を任意に変化させることにより、イエロー（Ｙ）、マゼンタ（Ｍ）、シアン（Ｃ）の濃度を変化させて、この３色の濃度成分の発色比で決められる一定の色域の中で、任意の色調を再現することが可能である。すなわち、プロセスインキのイエロー（Ｙ）、マゼンタ（Ｍ）、シアン（Ｃ）、ブラック（Ｋ）の組み合わせで表現可能な白を除く１５色以外に、ほぼ無限に近い色調表現が可能であるため前述の特色に近似した色調を再現することが可能である。
【００１０】
プロセスインキの組み合わせで表現される色調および特色等の任意の色調を、ハロゲン化銀感光材料を用いて再現するためには、イエロー（Ｙ）、マゼンタ（Ｍ）、シアン（Ｃ）、ブラック（Ｋ）の発色する濃度成分を適宜露光光量を調整して組み合わせる必要がある。
【００１１】
そのためには、印刷物において４色の組み合わせにより発色する色の各々について色分解を行なって、対応するプルーフを作成する際の露光条件をあらかじめ決定しておく必要がある。上記の４色の場合、あらかじめ決定すべき露光条件は、４色の組み合わせの数および印刷用紙の色である白の合計１６種類となる。
【００１２】
これに特色が１色追加された場合には、あらかじめ決定すべき露光条件は３２種類となり、２色使用された場合には６４種類となる。このように、対応すべき条件が一つ増えるごとにあらかじめ決定すべき露光条件はねずみ算式に増加する。これは、印刷用紙等についても同様である。つまり、多様な印刷物に対応して正確に近似できるプルーフを得られるシステムを構築しようとすると、色およびシステムに関する知識と多大な労力を要する困難な作業が必要となってしまう。
【００１３】
ハロゲン化銀感光材料を用いたシステムは、このように非常に有用なプルーフシステムを実現可能なものであるが、以上説明したように、目標とする印刷物の色版の数等が増えるに伴い、この露光条件をどのように規定するかが非常に大きな課題であった。
【００１４】
さらに、ハロゲン化銀感光材料を用いたシステムでは、印刷と同じ色材を使用する事ができないため、視覚的に近似した画像を得るためには、例えばＣＩＥＬＡＢ色空間の測定値としてずれた色に調整する必要があるなどの課題を有していた。
【００１５】
特許文献１の請求項には、ＡＯＭ（音響光学変調器）に印加するＯＮ、ＯＦＦ電圧値を制御することで、透過する光量を調整し、カラー感光材料の発色濃度を調整するカラー画像校正装置について開示されており、これにより発色濃度、ヌケ部の濃度が可変となり、印刷と近似した画像を形成することができ、特色印刷の校正が可能となることが開示されている。しかしながら、画像出力の条件をどのように決めればよいかなどの具体的な手段については何ら述べられていないし、示唆もされていない。
【００１６】
プルーフ画像作成装置としてハロゲン化銀感光材料を用いる装置が提案されており、網点の濃度を可変にできることが開示されている（デジタルコンセンサスプロ  パンフレット、コニカグラフィックイメージング（株）（２００２））。
【００１７】
特許文献２の請求項には、直接変調したＬＥＤを光源とする濃度とドットゲインを独立に調整する画像形成方法が開示されており、印刷画像との差異の小さいプルーフ画像が容易に得られることを開示している。しかし、各色をどのように調整することで目視での画像再現性が満足されるかについて何も述べられていない。
【００１８】
特許文献３の請求項には、特色版を使用する印刷物に対するプルーフ画像形成方法として、プロセス色変換過程、特色参照過程、特色変換過程、プロセス色変換画像データと前記特色変換画像データを組み合わせる合成過程、出力過程からなる画像形成方法を開示している。印刷物の色とプルーフの色をどのように調整するかという最も簡単なモデルは、濃度あるいはＬ＊、ａ＊、ｂ＊の値を両者で同じになるようにすることであるが、前述のように、ハロゲン化銀感光材料を用いたカラープルーフでは、印刷との色材の違いから色調を調整することが必要であるという課題がある。特許文献３には、こうした課題についての記載はなく、また、簡便に色を決める方法についての示唆もない。
【００１９】
特許文献４の請求項には、本印刷機における各色の刷順と透過度とに基づいて前記各色の刷り重ねの模擬演算を行う色校正方法が開示され、これにより、特色インキを刷り重ねる順番と特色インキの透過度とが考慮され色再現性が良好な色校正方法が提供される。しかし、特許文献４の公報カラム０００８には、「透過度は隠蔽性を有するインキ（不透過色インキ）によって隠蔽されていない面積率（％）、すなわち、下の色が印刷物の表面から見た色に影響する程度（％）のことである」と記載されており、「前記模擬演算過程は、刷り重ねにおいて下の色に影響されない不透過色については画素値と透過度を乗算した値（実効のある画素値）をその不透過色を刷り重ねる演算の前の透過度から減算して新たな透過度を生成し、その新たな透過度を刷順が次の下の色の実効画素値演算過程で用いる色校正方法」であると記載している。すなわち、不透過色インキ（光を全く透過しない）が上にあるか下にあるかの区別する上において刷り順が考慮されている。また、演算により再現する色を決定しているが、開示されている内容は限られた方法に関するものにすぎない。
【００２０】
【特許文献１】
特開平５−６６５５７号公報［請求項］
【特許文献２】
特開２００１−３０５７０１号公報［請求項］
【特許文献３】
特開平１０−２４８０１７号公報［請求項］
【特許文献４】
特開平１１−２９６６６４号公報［請求項］
【００２１】
【発明が解決しようとする課題】
本発明が解決しようとする課題は、印刷物の仕上がりを事前に確認するプルーフ、特に網点の濃度を可変にすることにより、印刷用紙の違いによる仕上がりの差が表現でき、特色を使用した印刷物の仕上がりを表現できるデジタルカラープルーフを形成できるものであって、さらにユーザがコンピュータを操作して再現性よくプルーフを生成することのできる画像情報処理方法、画像出力方法、画像出力システム及びコンピュータプログラムを提供することである。また、少ない測定データから、種々の印刷条件に対応した高画質のプルーフ画像を効率的に得ることのできるデジタルカラープルーフシステム等を実現することにある。
【００２２】
【課題を解決するための手段】
請求項１記載の発明は、印刷目標の色を、操作手段を操作して視覚的に設定可能に表示手段に表示する第１の表示段階と、印刷物から前記設定された印刷目標の色ごとにその色を特定するための色特性を求めて出力する取得段階と、予め準備されたプルーフ画像出力装置の色特性対基本色濃度の濃度特性テーブルを参照して、前記取得段階で出力される色特性を前記基本色の濃度に変換する変換段階と、前記変換段階で変換された前記各色に対する前記基本色の濃度をテーブルとして記憶する記憶段階と、前記記憶段階で記憶したテーブルのデータを前記プルーフ画像出力装置へ出力して印刷させる段階とを備えた。
【００２３】
請求項２記載の発明は、請求項１の発明において、前記色特性は、Ｌ＊ａ＊ｂ＊であるとした。
【００２４】
請求項３記載の発明は、基本色は、イエロー、マゼンダ及びシアンを含み、前記色には、前記基本色の組合せ及び／又はそれらの基本色の組合せと特色との組合せを含むこととした。
【００２５】
請求項４記載の発明は、前記予め準備される前記プルーフ画像出力装置の色特性対基本色濃度の濃度特性テーブルは、前記プルーフ画像出力装置が画像を形成するために保有する露光手段の露光量を決定するためのものとした。
【００２６】
請求項５記載の発明は、前記取得段階と変換段階の間に、前記取得段階で取得された色の色特性を基に、前記取得段階で取得されていない、所望の色の色特性を演算して求める段階を有し、前記変換段階は、前記取得段階で取得された色の色特性及び前記演算して求めた色の色特性を基本色の濃度に変換することを特徴とした。
【００２７】
請求項６記載の発明は、前記記憶手段が記憶する基本色の濃度の濃度テーブルを、前記プルーフ画像出力装置の感光材料特性を基に、画素単位の光量に変換する光量決定段階を有することとした。
【００２８】
請求項７記載の発明は、前記表示手段に、前記印刷物の材質固有の印刷特性及びその特性を調整入力可能に表示する第２の表示段階と、前記第２の表示段階で表示された印刷特性及びその調整された印刷特性の入力に応じて、前記取得段階で取得された色特性を修正して前記変換段階へ送るレンダリング段階を有し、前記変換手段は、修正された色特性について、基本色の濃度に変換することとした。
【００２９】
請求項８記載の発明は、色の重なりの下側の色を指定し、上側の色と視覚的に区別できるよう下側の色特性を調整する強調パラメータを入力可能に表示する第３の表示段階と、前記入力された色の強調パラメータに応じて、前記取得段階が出力する色特性をパラメータ演算回路で修正して出力するパラメータ変更段階とを備え、前記変換手段は、修正された色特性について、基本色の濃度に変換することとした。
【００３０】
請求項９記載の発明は、印刷に使用するインキの特性を入力可能に表示する第４の表示段階とを有し、前記パラメータ変更段階で前記入力されたインキの特性に応じて前記パラメータ演算回路が色特性を修正して出力し、前記変換手段は、修正された色特性について、基本色の濃度に変換することとした。
【００３１】
請求項１０記載の発明は、予め基準となる前記印刷物を基準となる前記プルーフ画像出力装置で印刷したときに取得された基本色の濃度に基づいて標準データとして保有しておいて、前記変換段階で得られた前記基本色の濃度と前記標準データとを比較し、差分に応じて変換段で得られた基本色の濃度を補正する補正段階を有し、前記記憶手段は、前記補正段階で得られた基本色の濃度をテーブルとして記憶することとした。
【００３２】
請求項１１記載の発明は、重ね刷りの一色を前記表示手段に指定可能に可能に表示するとともに、前記指定された一色について前記記憶手段を参照して指定された色見本を表示する第１のエジット段階と、前記一色の色を表すパラメータを操作手段で補正可能に表示する第２のエジット段階と、補正されたパラメータによる色を前記プルーフ画像出力装置で出力したと仮定した色をシミュレート計算し、そのシミュレートした色見本を表示する段階とを備え、所望の刷り重ね色を前記色見本を視覚認識しながら編集できる構成とした。
【００３３】
請求項１２記載の発明、前記取得段階の取得は、測定によって行い、さらに、色を指定し、濃度に影響するパラメータを入力可能に表示する段階と、そのパラメータに基づいて、前記記憶手段の基本色の濃度テーブルを補正演算し、前記プルーフ画像出力装置に送って印刷させる段階と、さらにその印刷物について測定した濃度値を表示するとともに、その濃度値を基に前記補正演算した濃度テーブルを更新する段階とを有し、測定結果をフィードバックできる構成とした。
【００３４】
請求項１３記載の発明は、印刷物の色を特定できる色特性を取得できる取得装置及び基本色の濃度に応じたデータを受けて前記印刷物に印刷するプルーフ画像出力装置とを制御して所望の印刷を行うための出力画像制御装置であって、前記プルーフ画像出力装置の特性である色特性対基本色の濃度特性テーブルを記憶する記憶手段と、前記取得装置から受けた、取得した色の前記色特性を所望の色に変更又は取得していない色を追加するため、条件を視覚的に入力操作可能に表示するＧＵＩ手段と、前記ＧＵＩ手段で設定された条件で前記取得装置で取得された色の色特性を変更又は追加して出力する変更手段と、前記変更手段から出力される各色についての色特性を前記濃度特性テーブルを参照して基本色の濃度データに変換する変換手段と、前記変換手段から出力される基本色の濃度データを前記プルーフ画像出力装置へ送るために記憶する手段とを備えた。
【００３５】
請求項１４記載の発明は、前記ＧＵＩ手段は、前記印刷物の材質固有の印刷特性及びその特性を調整条件を入力可能に表示し、印刷に使用するインキの特性を入力設定可能に表示し、又は／及び、色の重なりの下側の色を指定して上側の色と視覚的に区別できるよう下側の色特性を調整する条件を入力可能に表示するとともに、設定された各条件を前記変更手段に送る構成とした。
【００３６】
請求項１５記載の発明は印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、前記プルーフ画像出力装置の特性である色特性対基本色の濃度特性テーブル、及び予め基準となる前記印刷物を基準となるプルーフ画像出力装置で印刷したときの基本色の濃度に基づく標準データとを記憶する記憶手段と、前記取得装置から受けた、取得した色の前記色特性を所望の色に変更又は取得していない色を追加するための条件を視覚的に入力操作可能に表示するＧＵＩ手段と、前記ＧＵＩ手段で設定された条件で取得された色の色特性を変更又は追加して出力する変更手段と、
【００３７】
前記変更手段から出力される各色についての色特性を前記濃度特性テーブルを参照して基本色の濃度データに変換する変換手段と、前記変換手段で得られた前記基本色の濃度と前記標準データとを比較し、差分に応じて変換手段で得られた基本色の濃度を補正する補正手段と、前記補正手段から出力される基本色の濃度データを前記プルーフ画像出力装置へ送るために記憶する手段とを備えた。
【００３８】
請求項１６記載の発明は、印刷物の色を特定できる色特性を取得できる取得装置及び基本色の濃度に応じたデータを受けて前記印刷物に印刷するプルーフ画像出力装置とを制御して所望の印刷を行うための画像情報処理装置であって、前記プルーフ画像出力装置の特性である色特性対基本色の濃度特性テーブルを記憶する記憶手段と、前記取得装置から受けた色特性を前記濃度特性テーブルを参照して基本色の濃度データに変換する変換手段と、前記変換手段から出力される基本色の濃度データを前記プルーフ画像出力装置へ送るために記憶する手段と、重ね刷りの一色を指定可能に表示し、かつ前記手段に記憶されたその指定の取得された色を読み出して色見本として表示するととも、その色見本の修正条件を入力可能に表示することによって、色編集を案内するＧＵＩ手段と、前記入力された修正条件に基づいて、前記記憶する手段に記憶された基本色の濃度データを補正し、補正された濃度データによる色をシミュレート計算し、そのシミュレートした色を前記ＧＵＩ手段に送って、修正後の色見本として表示させるとともに、前記記憶する手段の濃度データを更新するためのシミュレート手段とを備えた。
【００３９】
請求項１７記載の発明は、印刷物の色を特定できる色特性を取得できる取得装置及び基本色の濃度に応じたデータを受けて前記印刷物に印刷するプルーフ画像出力装置とを制御して所望の印刷を行うための画像情報処理装置を備えた画像出力システムであって、前記画像情報処理装置は、前記プルーフ画像出力装置の特性である色特性対基本色の濃度特性テーブルを記憶する記憶手段と、前記取得装置から受けた、取得した色の前記色特性を所望の色に変更又は取得していない色を追加するため条件を視覚的に入力操作可能に表示するＧＵＩ手段と、前記ＧＵＩ手段で設定された条件で取得された色の色特性を変更又は追加して出力する変更手段と、前記変更手段から出力される各色についての色特性を前記濃度特性テーブルを参照して基本色の濃度データに変換する変換手段と、前記変換手段から出力される基本色の濃度データを前記プルーフ画像出力装置へ送るために記憶する手段とを備えた。
【００４０】
請求項１８記載の発明は、網点を複数画素の集合体として面積階調の画像を形成する画像形成方法であって、予めプルーフ画像出力装置の露光を行うための基本色の濃度対光量特性を取得しておく準備段階と、目標印刷物の色の色特性を取得する取得段階と、前記色特性を基に前記色特性に対する基本色の濃度を求める変換段階と、画素を識別する画素情報を出力する段階と、前記画像情報を基に、前記濃度対光量特性を参照して、前記変換段階で求められた濃度を画素単位の光量に演算する段階とを備え、画素単位で露光量を制御して印刷する構成とした。
【００４１】
請求項１９記載の発明は、前記取得段階と前記変換段階の間に、前記取得段階で取得された色の色特性を基に、取得されていない所望の色の色特性を演算する段階を備えた。
【００４２】
請求項２０記載の発明は、網点を複数画素の集合体として面積階調の画像を形成する画像出力システムであって、予めプルーフ画像出力装置の露光を行うための基本色の濃度対光量特性を記憶して記憶手段と、目標印刷物の色の色特性を取得する取得手段と、前記色特性を基に前記色特性に対する基本色の濃度を求める変換手段と、画素を識別する画素情報を出力する画素生成手段と、前記画素情報を基に、前記濃度対光量特性を参照して、前記変換手段で求められた濃度を画素単位の光量に演算する演算手段とを備え、画素単位で露光量を制御して印刷する構成とした。
【００４３】
請求項２１記載の発明は、請求項２１の発明において、前記取得手段と前記変換手段の間に、前記取得手段で取得された色の色特性を基に、取得されていない所望の色の色特性を演算する手段を備えた。
【００４４】
請求項２２記載の発明は、コンピュータに印刷物の色を特定できる色特性を取得できる取得装置と、基本色の濃度に応じたデータを受けて前記印刷物に印刷するプルーフ画像出力装置とを制御させて所望の印刷を行うためのコンピュータプログラムであって、前記コンピュータに対して、前記プルーフ画像出力装置の特性である色特性対基本色の濃度特性テーブル、及び予め基準となる前記印刷物を基準となる前記プルーフ画像出力装置で印刷したときの基本色の濃度を含む標準データとを記憶させ、前記取得装置から受けた、取得した色の前記色特性を所望の色に変更又は取得していない色を追加するため条件を視覚的に入力操作可能に表示するＧＵＩを実行させ、前記ＧＵＩで設定された条件で取得された色の色特性を変更又は追加して出力させ、前記変更されて出力される各色についての色特性を前記濃度特性テーブルを参照して基本色の濃度データに変換させ、前記変換で得られた前記基本色の濃度と前記標準データとを比較し、差分に応じて変換で得られた基本色の濃度を補正させ、前記補正手段から出力される基本色の濃度データを前記プルーフ画像出力装置へ送らせるために記憶させる構成とした。
【００４５】
請求項２３記載の発明は、網点を複数画素の集合体として面積階調の画像を形成するために用いられるコンピュータプログラムであって、コンピュータに対して、予めプルーフ画像出力装置の露光を行うための基本色の濃度対光量特性を記憶させ、目標印刷物の色の色特性を取得させ、前記色特性を基に前記色特性に対する基本色の濃度を求めさせ、画素を識別する画素情報を生成させ、前記画素情報を基に、前記濃度対光量特性を参照して、前記求めた基本色の濃度を画素単位の光量に演算させる構成とした。
【００４６】
請求項２４記載の発明は、複数の印刷版により印刷される目標印刷物のデジタル画像データに基づいて、前記目標印刷物のプルーフである画像を画素の集合として形成するための画像情報処理方法であって、前記目標印刷物に用いる１の版が、１または２以上の他の版を用いた印刷の上に重ねて印刷するようにして用いられる場合に、前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、前記色彩（１）と、前記１の版の画像部分が重なっておらず前記他の版の画像部分がある部分の色彩（２）との色差の絶対値をΔＥ２とし、前記色彩（１）と、前記１の版の画像部分があって前記他の版の画像部分が印刷されていない部分の色彩（４）との色差の絶対値をΔＥ３とし、前記ΔＥ２が前記ΔＥ３より大きい場合に、前記色彩（３）が、以下の式（Ａ）を満たすように変更される構成とした。
１≦ΔＥ１≦ΔＥ２−１・・・・・・・・・（Ａ）
【００４７】
請求項２５記載の発明は、複数の印刷版により印刷される目標印刷物のデジタル画像データに基づいて、前記目標印刷物のプルーフである画像を画素の集合として形成するための画像情報処理方法であって、前記目標印刷物に用いる１の版が、１または２以上の他の版を用いた印刷の上に重ねて印刷するようにして用いられる場合に、前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、前記色彩（１）と、前記１の版の画像部分が重なっておらず前記他の版の画像部分がある部分の色彩（２）との色差の絶対値をΔＥ２とし、前記色彩（１）と、前記１の版の画像部分があって前記他の版の画像部分が印刷されていない部分の色彩（４）との色差の絶対値をΔＥ３とし、前記ΔＥ２が前記ΔＥ３より小さい場合に、前記色彩（３）が、以下の式（Ｂ）を満たすように変更される構成とした。
１≦ΔＥ１≦ΔＥ３−１・・・・・・・・（Ｂ）
【００４８】
請求項２６記載の発明は、複数のインキを重ねて印刷される目標印刷物のデジタル画像データに基づいて、前記目標印刷物のプルーフを画素の集合として形成する画像情報処理方法であって、前記目標印刷物において１のインキが他のインキに重ねて印刷されている部分に対応する前記プルーフの画素の色彩（３）が、前記画素の色彩（３）と、前記目標印刷物において前記他のインキだけが印刷される部分に対応する前記プルーフの画素の色彩（５）との色差の絶対値をΔＥ４とし、前記目標印刷物において前記１のインキだけが印刷される部分に対応する前記プルーフの画素の色彩（６）と、前記画素の色彩（３）との色差の絶対値をΔＥ５とした場合に、前記色彩（３）が、前記ΔＥ４と前記ΔＥ５との差の絶対値が前記目標印刷物の対応値より小さくなるように変更される構成とした。
【００４９】
請求項２７記載の発明は、多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、前記画像情報処理手段は、前記色特性を前記目標印刷物の性質に応じて変更または追加する変更手段と、前記変更または追加された色特性を前記基本色濃度に変換する変換手段とを備え、前記変更手段は、前記目標印刷物の印刷に用いる１の版が、１または２以上の他の版による印刷の上に重ねて印刷するようにして用いられる場合に、前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、前記色彩（１）と、前記１の版の画像部分が重なっておらず前記他の版の画像部分がある部分の色彩（２）との色差の絶対値をΔＥ２とし、前記色彩（１）と、前記１の版の画像部分があって前記他の版の画像部分が印刷されていない部分の色彩（４）との色差の絶対値をΔＥ３とし、前記性質が、前記ΔＥ２が前記ΔＥ３より大きいものである場合に、前記色彩（３）を、以下の式（Ａ）を満たすように変更しうる構成とした。
１≦ΔＥ１≦ΔＥ２−１・・・・・・・・・（Ａ）
【００５０】
請求項２８記載の発明は、多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
【００５１】
前記画像情報処理手段は、前記色特性を前記目標印刷物の性質に応じて変更または追加する変更手段と、前記変更または追加された色特性を前記基本色濃度に変換する変換手段とを備え、前記変更手段は、前記目標印刷物の印刷に用いる１の版が、１または２以上の他の版による印刷の上に重ねて印刷するようにして用いられる場合に、前記目標印刷物における前記１の版の画像部分と１または２以上の前記他の版の画像部分とが重なる部分の色彩（１）と、前記重なる部分に対応する前記プルーフの画素における色再現としての色彩（３）との色差の絶対値をΔＥ１とし、前記色彩（１）と、前記１の版の画像部分が重なっておらず前記他の版の画像部分がある部分の色彩（２）との色差の絶対値をΔＥ２とし、前記色彩（１）と、前記１の版の画像部分があって前記他の版の画像部分が印刷されていない部分の色彩（４）との色差の絶対値をΔＥ３とし、前記性質が、前記ΔＥ２が前記ΔＥ３より小さいものである場合に、前記色彩（３）を、以下の式（Ｂ）を満たすように変更しうる構成とした。
１≦ΔＥ１≦ΔＥ３−１・・・・・・・・（Ｂ）
【００５２】
請求項２９記載の発明は、複数のインキを用いて多色刷りされた目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、前記画像情報処理手段は、前記色特性を前記目標印刷物の性質に応じて変更する変更手段と、前記変更された色特性を前記基本色濃度に変換する変換手段とを備え、前記変更手段は、前記目標印刷物において１のインキが他のインキに重ねて印刷されている部分に対応する前記プルーフの画素の色彩（３）が、前記画素の色彩（３）と、前記目標印刷物において前記他のインキだけが印刷される部分に対応する前記プルーフの画素の色彩（５）との色差の絶対値をΔＥ４とし、前記目標印刷物において前記１のインキだけが印刷される部分に対応する前記プルーフの画素の色彩（６）と、前記画素の色彩（３）との色差の絶対値をΔＥ５とした場合に、前記色彩（３）が、前記ΔＥ４と前記ΔＥ５との差の絶対値が前記目標印刷物の対応値より小さくなるように変更しうる構成とした。
【００５３】
請求項３０記載の発明は、多色刷りの目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、
【００５４】
前記画像情報処理手段は、前記色特性を前記目標印刷物の性質に応じて変更または追加する変更手段と、前記変更または追加された色特性を前記基本色濃度に変換する変換手段とを備え、前記変更手段は、前記目標印刷物の印刷に用いる１の版が、１または２以上の他の版による印刷の上に重ねて印刷して用いられる場合に、前記重ねて印刷される部分に対応する前記プルーフの画素の各要素色濃度Ｄｊが、下記式（Ｃ）により演算されて前記色特性に追加される構成とした。
【００５５】
Ｄｊ＝Ａｊ（Ｕ，Ｏ）×Ｏｊ＋Ｂｊ（Ｏ）×Ｕｊ・・・式（Ｃ）
（ここで、ｊはプルーフ画像を形成する色材（ここではＹ、Ｍ、Ｃの３種）を表し、Ｄｊは、目標印刷物で前記の重ねて印刷される部分に対応するプルーフの画素の、色材ｊの発色値を意味し、係数Ａｊは、あらかじめ与えられた前記１の版による上色のトラッピング率を意味し、係数Ｂｊは、あらかじめ与えられた上色のインキの透明度を意味し、Ｕｊは前記他の版による下色のカラーコレクションテーブルの値を意味し、Ｏｊは上色のカラーコレクションテーブルの値を意味する。また、０＜Ａｊ＜１、０＜Ｂｊ＜１であり、Ｄ（ｊ−１）＝Ｕｊである。）
【００５６】
請求項３１記載の発明は、請求項３０に記載の発明において、変更手段が、式（Ｃ）により各要素色濃度Ｄｊが演算されるに際し、０．９５≧Ｂｊであるか、若しくは１つ以上の要素色濃度についてＯｊ≧０．１５である場合には、Ａｊがあらかじめ与えられた値より小さくなるように変更されると共に、Ｂｊがあらかじめ与えられた値より大きくなるように変更されて前記Ｄｊが演算され、０．９５＜Ｂｊであり、かつ全ての要素色についてＯｊ＜０．１５である場合には、前記Ａｊがあらかじめ与えられた値より大きくなるように変更されると共に、前記Ｂｊがあらかじめ与えられた値より小さくなるように変更されて前記Ｄｊが演算される構成とした。
【００５７】
請求項３２記載の発明は、請求項３０に記載の発明において、さらに、１の版に使用しうる１又は２以上のインキ分類に対応して係数Ａｊと係数Ｂｊを格納したインキ分類テーブルを備えると共に、前記１又は２以上のインキ分類のいずれかが選択されうるインキ分類選択手段を備え、変更手段がＤｊを演算するに際し、前記選択手段から１のインキ分類が選択された場合には、当該１のインキ分類に対応する係数Ａｊと係数Ｂｊを前記インキ分類テーブルから読み出して、前記演算が行われる構成とした。
【００５８】
請求項３３に記載の発明は、請求項３０に記載の発明において、さらに、複数段階の強調度合いとそれに対応した係数Ａｊと係数Ｂｊとを格納した強調度合いテーブルを備えると共に、前記複数段階の強調度合いのいずれかが選択されうる強調度合い選択手段を備え、変更手段がＤｊを演算するに際し、前記選択手段から１の強調度合いが選択された場合に、当該１の強調度合いに対応する係数Ａｊと係数Ｂｊを前記強調度合いテーブルから読み出して、前記演算が行われる構成とした。
【００５９】
請求項３４に記載の発明は、１の版による印刷が、１または２以上の他の版による印刷の上に重ねて印刷された目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とを備えた画像出力システムであって、前記１の版の画像部分と１または２以上の前記他の版の画像部分とが重なる部分の色彩（１）と、前記１の版の画像部分が重なっておらず前記他の版の画像部分がある部分の色彩（２）との色差の絶対値ΔＥ２が、０＜ΔＥ２＜３を満たすか、若しくは、前記色彩（１）と、前記１の版の画像部分があって前記他の版の画像部分が印刷されていない部分の色彩（４）との色差の絶対値ΔＥ３が、０＜ΔＥ３＜３を満たした場合に、アラートを発して、前記重なる部分の色変更をするかどうかの選択を促す警告手段を備える構成とした。
【００６０】
請求項３５記載の発明は、１の版による印刷が、１または２以上の他の版による印刷の上に重ねて印刷された目標印刷物の色特性を取得する取得手段と、前記色特性から基本色濃度を得て、前記基本色濃度に基づいて画像出力する画像情報処理手段と、前記画像情報処理手段からの画像出力により印刷物のプルーフを出力するプルーフ画像出力手段とをコンピュータにより実行するための画像出力プログラムであって、さらに、前記１の版の画像部分と１または２以上の前記他の版の画像部分とが重なる部分の色彩（１）と、前記１の版の画像部分が重なっておらず前記他の版の画像部分がある部分の色彩（２）との色差の絶対値ΔＥ２が、０＜ΔＥ２＜３を満たすか、若しくは、前記色彩（１）と、前記１の版の画像部分があって前記他の版の画像部分が印刷されていない部分の色彩（４）との色差の絶対値ΔＥ３が、０＜ΔＥ３＜３を満たした場合に、アラートを発して、前記重なる部分の色変更をするかどうかの選択を促す警告手段を実行する構成とした。
【００６１】
請求項３６記載の発明は、請求項３４に記載の発明において、さらに、検版優先モードまたは通常モードを選択するモード選択手段を備え、前記検版優先モードがあらかじめ選択されており、かつアラートが発せられた場合に、あらかじめ指定された色変更を実行する自動色変更手段を備える構成とした。
【００６２】
請求項３７記載の発明は、請求項３５に記載の発明において、さらに、検版優先モードまたは通常モードを選択するモード選択手段と、前記検版優先モードがあらかじめ選択されており、かつアラートが発せられた場合に、あらかじめ指定された色変更を実行する自動色変更手段とをコンピュータに実行させる構成とした。
【００６３】
請求項３８記載の発明は、請求項２７、２８、３０〜３４、３６のいずれかに記載の発明において、目標印刷物の１の版が、プロセスカラーを除くインキを用いる版である構成とした。
【００６４】
請求項３９記載の発明は、請求項２７〜３４、３６〜３８のいずれかに記載の発明において、画像処理システムが、目標印刷物のデジタル画像データに基づいて、濃度が独立に可変である要素色を組み合わされて形成された画素の集合により、前記目標印刷物のプルーフとしての面積階調画像を、支持体上に少なくとも３種の要素色を発色可能なハロゲン化銀乳剤層を有するハロゲン化銀感光材料を露光して形成する構成とした。
【００６５】
【発明の実施の形態】
以下、図面を用いて発明の説明を行うが、まず、発明の説明で用いる略語の表記方法や、使用する種々の技術用語の技術的内容に関して説明する。
【００６６】
［使用する技術用語の、表記または内容］
（ｉ）色の表記について
以下の説明に使用する印刷インキの色は、図３１に記載のように、略して表記することがある。
【００６７】
（ｉｉ）網点画像（色、特色）の形成について
図１にデジタルカラープルーフにおける網点の模式図を示す。図１に示すように、画像は画素（図中では◯で表した）に分割され、網点はこの画素の集合体として表される。その際、印刷物において網点が重なる部分は、デジタルプルーフにおいて対応する画素を共有することになる。例えば、図１には、基本色としてＹ（イエロー）、Ｍ（マゼンタ）、Ｃ（シアン）の各網点が一部（印刷物的に表現すれば、重なって）存在する。Ｙの網点は２本の斜めの実線で区切られた図面上部に存在する。Ｍの網点は同様の点線で区切られた図面下部に存在する。また、Ｃの網点は、破線で区切られた図面右部分に存在する。Ｙの網点とＭの網点が共有する（印刷物においては、インクが重なっている）画素はＲ（赤）、Ｙの網点とＣの網点が共有する画素はＧ（緑）、Ｙ、Ｍ、Ｃの網点が共有する画素はＧＹ（灰）で表される。
【００６８】
また、印刷物によっては、ＹＭＣ（またはＹＭＣＫ）以外の特別な色、いわゆる「特色」が用いられることがある。この特色のインキの版は「特色版」と呼ばれる。特色インキとしては、緑色、オレンジ色などのインキの他に、金色、銀色その他のメタリックカラーのインキ等の各種のインキが用いられる。さらに特色インキは、濃度が均一でない場合があり、ラメや金粉の混ざったものなどが用いられることもある。特色版は、ロゴのように予め特色であることが指定されている画像部品を再現する場合や、特色インキで刷ることによってカラー画像の色再現性を高めたい場合などに用いられることが多い。
【００６９】
図１には示していないが、特色版の網点がある場合には、該当する画素の色を特色に近似な色に調整することによりこれを表現することができるし、さらに特色版と他の版で共有されている画素を、刷り重ねの順序、個々の版の色、各インキの特性（透明度、インキののりやすさ等）を考慮した色に調整することにより表現することができる。
【００７０】
（ｉｉｉ）目標印刷物と測定（色データの取得）について
画像形成条件を決めるためには、実際の印刷物で各色がどのように再現されるかを調べる必要がある。このため、実際の印刷で用いられるインキを使った印刷物（以下、これを目標印刷物と呼ぶ。）で基本となるデータを取得する必要がある。これをベースとして、色再現に必要な条件を精度よく決めることが可能となる。
【００７１】
画像出力システムの対象となる印刷物は特に限定されないが、通常のＹ、Ｍ、Ｃ、Ｋの各プロセスインキを用いた印刷物が適する。ここで、ＫとＹ等が重なったオーバープリント色を含むようなものも適する。また、プロセスインキに加えて特色インキを用いた印刷物や、さらには、その特色インキがプロセスインキに刷り重ねられた印刷物にも適している。実際のシステムでは、対象とできる印刷物の種類は多いほど好ましいが、同時に、色の再現のための測定負荷も増える。そのため、求める精度と負荷の関係を考慮して、対象とする印刷物の範囲を決めればよい。
【００７２】
なお、目標印刷物の測定、若しくは、目標印刷物を測定すると記載する場合は、予め測定されているインキと同じインキを使う場合のように、すでに測定されたデータを適当な記録媒体から読み込むことによりその目的を達成できる場合は、これをも含めて「測定」と記載することがある。また、求める精度との関係で代表的なインキのデータで代用する事も可能であり、こうした場合も含めて「測定する」と記載することがある。
【００７３】
（ｉｖ）濃度、Ｌ＊ａ＊ｂ＊及び色の測定について
濃度とは、主に光学濃度を意味する。また、実質的にこれと同じ意味をもつ他の量に置き換えたものでもよい。例えば、ＣＬＩＥＡＢ色空間におけるＬ＊、ａ＊、ｂ＊等を、変換可能な代表値としてあげることが可能である。このほかには、ＣＩＥＬＵＶ色空間、ＸＹＺ色空間の座標値を好ましく用いることができる。ＣＩＥＬＡＢ色空間とは、ＣＩＥ  １９７６（Ｌ＊ａ＊ｂ＊色空間）を指し、その座標の求め方については、ＪＩＳ  Ｚ  ８７２９−１９９４  に記載されている。また、Ｌ＊ａ＊ｂ＊色空間の座標の値を、色の「特性」と呼ぶこともある。
【００７４】
（ｖ）アナリティカル濃度について
アナリティカル濃度は写真の分野でよく用いられる濃度の概念であるが、Ｙ、Ｍ、Ｃ色素を任意の量で発色させた時、Ｙ色素だけを同量発色させたときのＢ濃度をアナリティカルＢ濃度と呼び、Ｍ色素だけを同量発色させたときのＧ濃度をアナリティカルＧ濃度、Ｃ色素だけを同量発色させたときのＲ濃度をアナリティカルＲ濃度と呼ぶ。アナリティカル濃度は概念的な量であるが、計算によって求めることもできる。アナリティカル濃度に関しては、Ｔ．Ｈ．Ｊａｍｅｓ編、Ｔｈｅ  Ｔｈｅｏｒｙ  ｏｆ  Ｔｈｅ  Ｐｈｏｔｏｇｒａｐｈｉｃ  Ｐｒｏｃｅｓｓ、Ｍａｃｍｉｌｌａｎ、Ｎｅｗｙｏｒｋ、ｐ．５２４−５２９（１９７７）に記載されており、これを参考に求めることができる。
【００７５】
感光材料として、反射支持体を有するハロゲン化銀感光材料を使用した場合は、アナリティカル濃度も反射濃度として表しておくことが好ましい。また、システムでアナリティカル濃度として取り扱う数値は、本来のアナリティカル濃度から変換した数値であってもよい。数値の取り扱いとしては、アナリティカル濃度を１００倍して整数化した方が扱いやすく、好ましい。
【００７６】
［画像出力システムの全体構成］
まず、図２を用いて画像出力システムの全体の概略構成について説明する。
【００７７】
図２は、画像出力システムの全体構成例の概略を示したブロック図である。また、図４は、画像出力システム全体の概略の動作フローを示した図である。
【００７８】
画像出力システムは、目標印刷物２を測定してプルーフ生成に必要なデータを取得するための、目標印刷物２の測定手段（装置）３、測定手段３により得たデータに基づき画像データを加工する画像情報処理装置１００、画像データに網点を含ませる網点データ生成部１５、加工された画像データを感光材料に出力するプルーフ画像出力装置１を有してなる。
【００７９】
［プルーフ画像出力装置］
図２において、画像出力システムのプルーフ画像出力装置１は、データを一時記憶し、記録タイミングを調整するためのバッファと、印刷媒体（例えば感光材料）を、インキ、印刷用紙等の条件を反映して上記の画素ごとに露光を行ことによって所望のプルーフを得るための露光手段と、露光時に感光材料を担持するドラムと、これらの手段を必要な条件で制御する制御手段とを備えている。
【００８０】
［露光手段］
プルーフ画像出力装置１の露光手段は、レーザ或いは発光ダイオード（ＬＥＤ）等の各種の光源と、光源からの光量を調整する手段と、主走査方向および副走査方向に２次元に走査して、感光材料の所定位置に光源からの光があたるようにするための走査手段とを備えている（いずれも図示していない）。
【００８１】
露光手段は、画像情報処理装置１００によって生成されたＹ、Ｍ、Ｃ（或いはＹＭＣＫ）の各強度（濃度或いは濃度に対応した光量：露光エネルギー）を表した網点画像データを受けて、これらをいったんバッファに一時的に格納し、順次、別途生成されたドットクロックで読み出して、光源、例えば、緑色レーザ光源、赤色レーザ光源、青色レーザ光源を前記網点画像データのＹ、Ｍ、Ｃの強度に対応して発光させ、インキの色および／または印刷用紙の色（例えば、白地）に対応した色を持つ画像を露光する。
【００８２】
また、露光手段の露光制御部（ＣＰＵ及びプログラムで構成される。）は、ドラムにおける感光材料の先端位置の位置をセンサ類により検出する。また、ドラムの回転に伴って、ドラムに設けられたロータリーエンコーダが出力したパルス信号のカウントに基づいて、光学系の光源から射出される光の照射位置と、感光材料の画像記録領域が互いに対応して画像を形成できるように、ドラムの回転及び光源の位置を制御している。また、ドラムに保持されている感光材料に対して、光源を発光させて網点画像の画像出力（露光）を行う。
【００８３】
なお、感光材料に対し、主走査方向（ドラムの回転による方向）と副走査方向（光源の移動による方向）の２次元走査により記録される画像の画像記録密度は、網点画像による階調の再現性などの観点から主走査方向及び副走査方向共に６００ｄｐｉ以上が好ましい。より好ましくは１０００ｄｐｉ以上であり、さらに好ましくは１２００ｄｐｉ以上である。また、網点画像による階調の再現性の飽和や画像記録速度や装置コストなどの観点から、主走査方向及び副走査方向共に１万ｄｐｉ以下が好ましい。より好ましくは５０００ｄｐｉ以下である。ここで、ｄｐｉは、主走査方向又は副走査方向の１インチの長さの中に、画像記録される画素が幾つ並んでいるかを示す単位である。
【００８４】
また、露光の際における各色光の１秒当たりの記録画素数は、３００万画素／秒以上（特に１０００万画素／秒以上）であることが好ましい。また、露光光の各色の１秒当たりの記録画素数は、４０億画素以下（特に５億画素以下）が好ましい。これにより、駆動回路、露光出力強度が安定し、高速画像記録と高精細な画像記録を両立させることができる。また、調整が容易になり、コスト上も好ましい。
【００８５】
なお、露光手段の露光用光源は、ＢのＬＥＤを主走査方向に１０個並べ露光のタイミングを少しづつ遅延させることによって同じ場所を１０個のＬＥＤで露光出来るように調整してある。また、副走査方向にも１０個のＬＥＤを並べ隣接する１０画素分の露光が１度に出来る露光ヘッドを準備した。Ｇ、Ｒも同様にＬＥＤを組み合わせて露光ヘッドを準備した。各ビームの径は約１０μｍで、この間隔でビームを配列し、副走査のピッチは約１００μｍとした。１画素当たりの露光時間は約１００ナノ秒であった。
【００８６】
［制御手段］
プルーフ画像出力装置１の制御手段は、ＣＰＵ（コンピュータまたは中央演算装置）及び各部や装置または手段を制御するための画像出力プログラムと、その画像出力制御プログラム及び露光用データ等を記憶するメモリとからなり、ＣＰＵが画像出力プログラムを実行することにより、制御部として機能している。
【００８７】
［測定手段（装置）］
画像処理システムの測定手段（装置）３は、目標印刷物２の各色がもつ特性のデータを取得するための測定装置である。各色がもつ特性とは、先に説明した濃度も含まれるが、この例では、ＣＥＩＬＡＶ色空間におけるＬ＊、ａ＊、ｂ＊の各座標値を測定して出力している。
【００８８】
［網点データ生成部］
画像出力システムの網点データ生成部１５は、画像データに網点を設ける。その際、網点の面積内の複数の画素により網点画像を形成する。網点データ生成部１５は、その網点及び画素のデータ（座標位置を識別できる情報で、以下、網点データと呼ぶ。）を生成する。制御部８は、各部を制御して、結果として、前記露光手段を網点、画素ごとに濃度を決定して制御するためのカラーコレクションテーブルを作らせる（濃度を感光材料特性に応じて光量に変換した場合は、画素ごとに光量を決定したテーブルを作らせる）。
【００８９】
ここで、１つの網点は、１００以上の画素から記録されていることが、実際の印刷の網点に近い再現になり好ましい。より好ましくは２００以上である。また、１つの網点は、２０００以下の画素から構成されるように記録されていることが、画像データの取り扱いの容易さや高速な画像データ処理の観点から好ましい。
【００９０】
［画像情報処理装置］
画像出力システムの画像情報処理装置１００は、ハード構成としてＣＰＵ１００ａ及びメモリ１００ｂを有し、表示手段４としてのディスプレイと操作手段５としてのタッチパネル等を有する。画像情報処理装置１００は、システム全体の制御を行うと共に、測定装置３からの各色についての測定データＬ＊、ａ＊、ｂ＊を、濃度特性ファイルのデータを参照して、基本色（この例では、Ｙ、Ｃ、Ｍの各濃度）に変換してプルーフ画像出力装置１へ出力する。
【００９１】
画像情報処理装置１００のメモリ１００ｂには、表示手段４に、操作のための画面を表示するＧＵＩプログラム（視覚的に、容易に入力操作ができるプログラム）、画像情報処理装置１００の内部において、測定装置３、プルーフ画像出力装置１等と情報をやりとりするための制御プログラム等の、ＣＰＵ１００ａで実行可能なプログラム類およびそれらに必要なデータ類とを備えている。
【００９２】
なお、画像情報処理装置１００は、一般のパーソナルコンピュータ等であってもよいし、プルーフ画像出力装置と同じ筐体に収められた専用コンピュータであってもよい。
【００９３】
この画像情報処理装置１００について、図３を用いて詳しく説明する。図３は、図２の画像情報処理装置１００の詳細内容を示すブロック図である。図３のプルーフ画像出力装置１と目標印刷物２および測定手段（装置）３を除いた、符号が４から１５の部分が、画像情報処理装置１００に含まれる。
【００９４】
画像情報処理装置１００は、各種テーブル類等を格納した記憶手段１３、ＧＵＩ手段２００、制御部８、ノセ演算手段９、レンダリング手段１０、変換手段１１、機差補正手段１２、エジット手段１４を有してなる。以下、これらの各部分について説明する。
【００９５】
［記憶手段］
記憶手段１３は、機差補正手段１２により機差を補正されたカラーコレクションテーブルを格納し、プルーフ画像の出力に供する（図４のＳ８）。全色測定して作成されたカラーコレクションテーブルの一例を図８に示す。また、記憶手段１３は、その他、機差補正データ、濃度特性ファイル等を格納している。記憶手段１３は、一つのメモリあるいは複数のメモリで構成されていてもよい。
【００９６】
記憶手段１３に格納されているテーブル類やファイル類は、同様の機能を発揮する限り、分割されていたり、統合されていたりしてもよい。また、各テーブルに格納されたデータの表現も特に制限されるものではなく、例えば、濃度値として表現されていてもよいし、同じものがＬ＊、ａ＊、ｂ＊で表現されていてもよい。
【００９７】
［感材特性テーブル］
感材（感光材料）特性テーブルは、写真業界でよく知られた特性曲線に相当するテーブルであり、各色の感光材料の発色濃度とそれを得るのに必要な露光量の関係を表す。感材特性テーブルには、各種の感光材料の標準的な特性データが格納されている。
【００９８】
感材特性テーブルの作成は、露光量を低露光量から高露光量まで連続的または断続的に変化させて露光を行い、現像処理を経て生成した画像の濃度を測定して、露光量と発色濃度の関係を対応させることで得られる。
【００９９】
［濃度特性ファイル］
露光手段は、入力される濃度データから各光源の光量を決定して露光する。そのため、図１の画像情報処理装置１００は、その光源の特性にあった濃度データをあらかじめファイルとして用意しておき、露光手段に提供する必要がある。このファイルは重要であり、以下、濃度特性ファイルと呼ぶ。この濃度特性ファイルは、請求項１において、「色特性対基本色濃度の濃度特性テーブル」と表現されている。
【０１００】
濃度特性ファイルは、ハロゲン化銀感光材料のシアン、マゼンタ、イエローの各色材の様々な発色量の組み合わせ（Ｄｃ、Ｄｍ、Ｄｙ）と、その各々の組み合わせで生じる、濃度と色特性を表現する（Ｌ＊、ａ＊、ｂ＊）の組み合わせ（色調ともよばれている）との関係を表すテーブルである。この概念図を図６に示す。
【０１０１】
このような濃度特性ファイルの作成は、デジタルデータに基づいて波長の異なる光源を用いて、任意に光量を変化させて画像露光を行い、シアン、マゼンタ、イエローを発色可能なハロゲン化銀乳剤層を有するハロゲン化銀感光材料を任意に発色させた組み合わせを作成し、その濃度あるいは色調を測定してカラーコレクションとの関係を対応させることによって可能である。また、シアン、マゼンタ、イエローの全てのカラーコレクションの組み合わせを作成しなくても、中間領域はデータを補完することで設定することができる。
【０１０２】
ここでは、上記の感材特性テーブルを参照して、図５に示したＣ、Ｍ、Ｙの各濃度を発色させるＢ、Ｇ、Ｒの光量を組み合わせることにより、１５×１９×１９色の計５４１５色のカラーパッチを出力し、Ｌ＊、ａ＊、ｂ＊及びステータスＴのＹ、Ｍ、Ｃ濃度を測定した。次に、色パッチのＬ＊、ａ＊、ｂ＊と、そのパッチを作成する際に与えたＢ光のみで発色させたＹパッチのＹ濃度、Ｇ光のみで発色させたＣパッチのＣ濃度、Ｒ光のみで発色させたＭパッチのＭ濃度をもとめ、この３種の量を対応させたテーブルを作成することによって、濃度特性ファイルを作成した。５４１５色のデータで膨大となるため図示を省略するが、イメージ的には、図６のようにＹ、Ｍ、Ｃの濃度の３次元座標においてＬ＊、ａ＊、ｂ＊のパラメータで色が特定されるようになる。
【０１０３】
なお、濃度特性ファイルの作成では、上記のように、感光材料の露光条件を変えるだけであるから、カラーパッチの数が多くても比較的容易に用意できる。
【０１０４】
このようにして作成された濃度特性ファイルは、図３の記憶手段１３に記憶されている。濃度特性ファイルは全色を測定して作成することが望ましいが、１８色或いは６色等を測定してあとは特色のノセ状態を演算してもとめることもできる（後述する）。
【０１０５】
［カラーコレクションテーブル］
前述のように、デジタルカラープルーフにおいては、画像は画素に分解され、この画素の集合体として網点が再現される。このため、画像データとして画素の色が決められた時、この色を具体的に規定する、すなわち、画像データが赤であった場合でも、それが濃い赤であるか、淡い赤であるか、紫がかった赤であるか黄色がかった赤であるかを規定する必要がある。
【０１０６】
カラーコレクションテーブルで規定する色の数は、印刷で使用するインクの数、求める再現の精度等で決まるが、例えば、プロセスインクＹ、Ｍ、Ｃ、Ｋと特色２色の組み合わせでは、Ｋ、Ｙ、Ｍ、Ｃの組み合わせとインクのない部分（白：Ｗ）を合わせて１６色となり、これらに特色２色との重なりを考慮すると６４色になる。
【０１０７】
次に、カラーコレクションテーブルを作成する方法について説明する。
一つの方法は、上記の組み合わせに相当するインキを刷り重ねた印刷物を用意しこれを測定する方法である。これは理想的であり、プロセスカラーのみで特色等を使用しないか、使用しても一色のような、印刷物が比較的容易に用意できるような場合に有効である。
【０１０８】
しかし、色材の違いによる補正を加えることが難しい。また、特色インキの種類は非常に数が多くあらかじめ用意するのは困難であること、また、印刷用紙の種類によっても仕上がりは大きく変化するため対応せざるを得ない等、すべての場合について、印刷物を用意して正確なデータを得ることは現実的に不可能である。この点、上記のように、単に露光条件を変えればよいだけの濃度特性ファイルの場合とは状況が異なる。
【０１０９】
従って、少ない数のデータから何らかの演算手段により求めることが好ましい。これを実現するために設けられているのが、後述するノセ演算手段９である。
【０１１０】
カラーコレクションテーブルのデータは、網点データ生成部１５からの画像データと併せてプルーフ画像出力装置１に転送してもよいし、予め転送してプルーフ画像出力装置１に記憶しておいてもよい。
【０１１１】
ここで、カラーコレクションテーブルと感材特性テーブルとを組み合わせる構成とすることによるメリットを説明する。
【０１１２】
カラーコレクションテーブルと感材特性テーブルとを組み合わせることなく、前記の画素を作成できる方法としては、例えば、画像形成に要するエネルギーと濃度の関係を、任意の刻みでエネルギーを変化した全ての組み合わせでカラーパッチを作成し、これを測定した結果をデータベースとしておけば任意の色を与えられた時、このデータベースを参照することにより各層の与えるべきエネルギーを求める方法が考えられる。
【０１１３】
しかし、この方法では、精度を上げるためには膨大な量の測定を行ってデータベースを作成する必要がある。また、感光材料の特性の変動（感光材料の製造バラツキによる変動の他、処理液の性能の変化によって変動する）を吸収するための手段が別途必要となる。
【０１１４】
一方、カラーコレクションテーブルと感材特性テーブルとを組み合わせる方式においては、Ｙ、Ｍ、Ｃ各層に与えるエネルギーと発色濃度の関係を求めておくことで少ないデータで精度よく必要なエネルギーを求めることが可能となり、システムの設計段階あるいは感光材料の色材の変更などに対しての対応が容易であるというメリットを有する。
【０１１５】
さらに重要なことは、プルーフ画像出力装置１は、特に露光手段は、温度等の環境起因による露光量の変動や、現像処理の活性の経時変動等により、基準の条件から変動して、発色する濃度や特性（色調）にずれが生じる場合がある。この場合に備え、生成された画像の濃度や特性（色調）を測定し、その測定値から予想値との濃度差、色差を計算し、予想値からのずれ量を算出して、ずれ分を露光量にフィードバックを行うことにより、補正が容易に行えメリットがある。
【０１１６】
［ＧＵＩ手段］
図３を用いて、画像情報処理装置１００のＧＵＩ手段２００に付いて説明する。ＧＵＩ手段２００は、表示手段４、操作手段５、パネルコントロール手段６及び表示情報記憶手段７を有する。
【０１１７】
パネルコントロール手段６は、予め表示情報手段７に記憶されている表示情報を、電源オン、或いは操作手段５で設定されたキーに応じて画面を読み出して表示手段４に表示させる。選択・設定・入力の操作は、表示手段４が参照されてマーカ等で操作手段５から行われる構成となっている。以下、選択・設定・入力の操作は、操作手段からなされるものとする。
【０１１８】
電源を入れるとパネルコントロール手段６は、表示情報記憶手段７から図１１のメイン画面を読み出して表示する（図４のステップＳ１：以下、ステップを省略し、Ｓ番号で示す。）。図１１の設定１が選択されると、図１２の測定画面が表示される。ここで色のパッチ（見本）、特色、インキ設定の画面がでてくるのでここで設定できる。ただし、この例では、特定の指示をしないと全色測定するので、このまま全色測定として説明する。なお、図１２の画面の上部のデータは、測定後の測定色についてのＹ，Ｍ，Ｃ濃度、Ｌ＊、ａ＊、ｂ＊の特性値を表示している。
【０１１９】
［制御部］
パネルコントロール手段６から測定の指示を受けた制御部８が測定装置１（請求項の取得装置、或いは取得手段、測定手段に相当する。）を制御して、目標印刷物の全色についてのＬ＊、ａ＊、ｂ＊の測定を行わせる（図４のＳ２）。なお、測定前に、図１２の測定キャリブレーションを設定して、測定装置を校正しておくことが望ましい。図３において、全色測定で、刷り重ねの下色を強調しない場合、及びインキ設定調整しない場合は、直接レンダリング手段１０に入る。なお、レンダリングも行わなければ変換手段１１へ入力される（図４で全てＮＯの場合）。図３のパラメータ演算手段９、レンダリング手段１０（図４のＳ３からＳ５）については、後記する。
【０１２０】
また、制御部８は、測定フィードバックも行う。これは、プルーフを出力後の色を再測定して、その際測定した測定値に基づいてカラーコレクションテーブルをプルーフ画像出力装置１へをフィードバックをして、再出力させて確認する（或いは確認してズレがあれば微調整するために）ために用いられる機能で、図１８の画面（測定画面のサブ画面）で操作して実行できる。
【０１２１】
図１８の画面に指示された色をプルーフ画像の中から選択して濃度等を入力する。測定された値と、計算で求められた色との濃度差、あるいは色差を計算し、ずれ分をソフト内で計算を行い、カラーコレクション値の差分として算出して、差分を補正されたカラーコレクションテーブルを再出力する。
【０１２２】
［ノセ演算手段９及びその画面］
ノセ演算手段９（パラメータ演算手段９ともいう）は、目標印刷物の測定により得られた色特性データが、必要な色特性データの全部ではなく限られた数だけである場合に、足りない色特性データをあらかじめ与えられたインキの特性等のデータから演算して追加する手段である。つまり、ノセ色演算を用いて、測定できなかった刷り重ね部分の色を、印刷インキの性状、印刷用紙の種類、印刷条件等に応じて、既測定の濃度または色調値を元に計算を行って生成することができる。これは変更手段の一部である。
【０１２３】
一般に印刷では、プロセスインキが使用され、それに印刷物によって異なる特色インキが使用される。プロセスインキの場合は、それらの組み合わせがあらかじめ決まっているため、組み合わせに対応した実験を行ってノセ色（対応する画素の色）をあらかじめ決めておくことができる。
【０１２４】
しかし、特色の場合は目標印刷物により異なるインキが使用されるため、あらかじめノセ色を決めておくということが困難である。そのため、目標印刷物で使用される特色が決まった段階で、できるだけ手間と時間をかけることなくノセ色を決める方法が重要となる。パラメータ演算手段９は、これを実現することを目的の一つとしている。
【０１２５】
ここで、特色には２つの使い方があり、プロセスインキの画像の上に特色インキの画像が刷り重ねられている場合（これをノセと呼ぶことがある）と、プロセスインキによる画像をなくし特色画像だけを印刷する場合（これをヌキと呼ぶことがある）である。ヌキの場合には、特色インキの色を考慮することで足りるが、ノセの場合には、下のインキの色が印刷物の色に反映するため、これをプルーフで再現する場合に、このインキの特性を考慮してプルーフを生成する必要がある。
【０１２６】
通常、印刷物の２色以上が重なった色調を、ハロゲン化銀感光材料の発色で良好に再現させるためには、２色のそれぞれ単独の色を再現させるのに要するＹ、Ｍ、Ｃの各濃度成分の単純な和では再現することはできない。また、機器の露光量制御を正確に行うためには露光量の制御範囲を狭めることが好ましく、この場合、好ましい発色濃度が求められてもこれを実現できないことがあり得、特に多くのインキが刷り重ねられた色でこのようなことが起こりやすい。そのため、印刷インキの重なった色に近似した発色を再現させるためには、一定の規則に沿った光量制御が必要となる。
【０１２７】
印刷物におけるＸ色（Ｘは２以上の整数）のインキ重なり部の光量の設定に関しては、印刷順に重なって新たに生成された１色目と２色目の重ね色を１色として設定したのち、新たに設定された１色目と２色目の設定値と３色目との関係から次の重ね色の設定ができる。
【０１２８】
複数の刷り重ね色の設定は、印刷順に重なって新たに生成された１色目と２色目の重ね色を１色として設定した後、新たに設定された１色目と２色目の設定値と３色目との関係から次の色の設定をしてもいし、１色目と２色目を下色として特性を設定し、３色目を上色として設定してもよい。
【０１２９】
上記の説明の中におけるパラメータ演算手段９（以下、ノセ演算手段９という。）は、次のようにこのノセについて使用される。
【０１３０】
（イ）測定装置３で測定していない色について演算でＬ＊、ａ＊、ｂ＊を求める場合に使用される。これは、図４において、ノセを行う（図４のＳ３）、表示画面にて条件を指定し、ノセ演算手段９によるノセ演算を行って（図４のＳ３ｂ）、データの追加を行うものである。これは前述した。
【０１３１】
（ロ）印刷物の仕上がりを予測するというプルーフの目的に照らして、第一義的には印刷物と可能な限り近似した仕上がりとなることが望まれる。しかし、上に透明度が低いインキが刷り重ねられる部分では、プルーフとしては、上のインキの透明度を高く再現した方が、下になる画像の状況が判別しやすく有利に用いられることがある。つまり、重ね刷りの下色を、プルーフでの色再現で強調し、プルーフにおいて下色を視覚的に認識・操作可能にし、結果として検版を可能にする場合（図４のＳ４−ＹＥＳ，Ｓ４ａ）である。これをノセ強調といい、これを行うためにノセ演算手段に付随して設けられている手段をノセ強調手段と呼ぶ。これは変更手段の一部である。
【０１３２】
（ハ）ノセの場合の再現色の計算に当たっては、インキの特性を考慮する必要がある。主な特性としてはインキの透明度で、これは主に刷り重ねるインキ（これを上色と呼ぶことがある）によって決まり、最終的な色に対する下になるインキ（これを下色と呼ぶことがある）の寄与の大きさを表す。もう一つの重要な特性は、トラッピング率で、上色と下色のインキの組み合わせや印刷版の印刷順序によって決まり、最終的な色に対する上色のインキの寄与の大きさを表す。これ以外の因子を考慮することがより精度を上げることができ好ましいが、効果の大きさは小さく作業の負荷を考慮すると前記２つの因子を考慮することが好ましい態様である。
【０１３３】
これらの要因を反映して調整するのが、ノセ演算手段９の重要な機能であるが、本機能は図１２の画面或いは図１６の画面をＧＵＩ２００で出力させ、画面を見ながら設定・調整する。設定された条件に基づいてノセ演算手段９が演算してレンダリング手段１０へ送られる（図４のＳ４−ＹＥＳ，Ｓ４ａ、４ｂ）。
【０１３４】
（インキ設定）
画像情報処理装置のノセ演算手段９で設けられているインキの設定について説明する。インキの設定は、図１６の画面で視覚的に設定できる。ノセ色が測定できない目標印刷物のカラーコレクションを設定する際に使われ、インキに関して、成分を詳細に設定することで更に精度の高いカラーコレクションを計算できる。
【０１３５】
インキ設定において考慮すべき内容は、下記の通りである。これらが画像情報処理装置で設定若しくは処理される。
【０１３６】
（イ）インキ分類の選択
・金属顔料を含有して透明性の低いシルバーインキ
・金属顔料を含有して透明性の低く着色した色メタリックインキ
・普通インキ  通常の着色顔料や染料を含有したインキ
【０１３７】
その他、添加剤の性質や添加量によってもノセ色の設定に影響を及ぼす。添加剤の種類として次のものがある。
・メジウム（透明性の無色インキで彩度や濃度の調節や光沢を付与するために用いられる）
・白インキ
・色メタリックインキ
【０１３８】
（ロ）インキの透明度
ノセ色の色調は、目標とする印刷物の上色インキの透明性成分と非透明性成分との比率によって変化するからである。インキ組成に存在する代表的な透明性成分は、例えばメジウム、レジューサー、コンパウンドなどが挙げられる。メジウムとは透明性の無色インキで彩度や濃度の調節や光沢を付与するために用いられる。
【０１３９】
またコンパウンドはインキと混ぜて印刷適性を改善するための、種々の製品の総称であり、インキのタックを下げるため等に用いられる補助剤である。レジューサーはインキの粘度低下やタックの調整に用いられる、腰切り剤と呼ばれる添加剤である。その他の透明性成分としてはワニス、不透明性成分としては、顔料や染料、金属粉などが分散または溶解された、市販されている一般的なインキが挙げられる。具体的には大日本インキ化学工業株式会社製  スペースカラー  バリウスＧ、バリウスＧ  ＥＳ、バリウスＧ  ＥＲ、校正用  バリウスＧ、ダイスパーク、ＮＣＰ  シルバー等、あるいは、東洋インキ製造株式会社製、ＴＫハイユニティ、ＴＫ  ハイユニティ  ＯＮ、ＴＫ  ハイユニティ  クイック、ＴＫハイエコー、ＴＫＰＤエコー、ＴＫ  ハイユニティ  ＳＯＹ、ＴＫハイエコーＳＯＹ１、等が挙げられるが、これらには限定されない。これらのインキを単独あるいは２種以上を任意の比率で調合して用いることも出来る。
【０１４０】
（ハ）インキの転写量
本機印刷機は高速に複数色の色を次々に印刷していくため、前に印刷した色が当然乾かないうちに次の色を印刷していかなければならない。その結果、インキが乾ききっていない状態で次の色を乗せようとするので、インキが１００％転移されない現象がおきる。これがウェットトラッピングという。インキの転写される割合（トラッピング率）は転写面が乾いているときほど高く、直前に多色が印刷された状態ではトラッピング率は小さくなる。
【０１４１】
上記の（イ）、（ロ）、（ハ）を考慮することにより、目標とする印刷物のこの現象を反映して各重なり色の適正な露光光量設定を行い、最適なイエロー、マゼンタ、シアンの発色濃度を制御することでより近似したプルーフ画像を得ることができる。
【０１４２】
なお、感材の支持体（ドラム）上に少なくともシアン、マゼンタ、イエローを発色可能なハロゲン化銀乳剤層を有するハロゲン化銀感光材料を、デジタルデータに基づいて波長の異なる光源を用いて、任意に光量を変化させて画像露光を行った後、発色現像処理する階調画像の形成方法においてはイエロー、マゼンタ、シアンの各最大発色濃度（Ｄｍａｘ）を超える濃度設定は不可能なため、この範囲内での濃度設定が必要である。
【０１４３】
前述したように、目標印刷物で使用されているすべての色について濃度を測定しても良いが、図３のパラメータ（ノセ）演算手段９を使用することによって、目標印刷物から１８色だけ測定し、他の色のＬ＊、ａ＊、ｂ＊を求めることができる。したがって、少ない測定データで多くのデータが得られる特徴がある。以下に、上記のインク設定後、測定しない色についてカラーコレクションテーブルを求める演算方法を示す。
【０１４４】
透明度、トラッピング率を反映したカラーコレクションテーブルの作成の方法としては、下記の式（Ｃ）を用いる方法によった。なお、Ａ、Ｂにかかる関数表示の中でｊを付していないのは、これらがインキの種類で決まるからである。
【０１４５】
Ｄｊ＝Ａｊ（Ｕ，Ｏ）×Ｏｊ＋Ｂｊ（Ｏ）×Ｕｊ・・・式（Ｃ）
（ここで、ｊはプルーフ画像を形成する色材（ここではＹ、Ｍ、Ｃの３種）を表し、Ｄｊは、目標印刷物で前記の重ねて印刷される部分に対応するプルーフの画素の、色材ｊの発色値を意味し、係数Ａｊは、あらかじめ与えられた前記１の版による上色のトラッピング率を意味し、係数Ｂｊは、あらかじめ与えられた上色のインキの透明度を意味し、Ｕｊは前記他の版による下色のカラーコレクションテーブルの値を意味し、Ｏｊは上色のカラーコレクションテーブルの値を意味する。また、０＜Ａｊ＜１、０＜Ｂｊ＜１であり、Ｄ（ｊ−１）＝Ｕｊである。）
【０１４６】
Ａｊ、Ｂｊの値及び１８色の特性データからカラーコレクションテーブルを計算した例を図９に示した。図９で（ａ）表から（ｃ）表は、条件であって、（ａ）表は、上色のインキの透明度に係る係数の表、（ｂ）表はトラッピング率の表、（ｃ）表は、測定した色とその測定値である。これらの条件を基に、計算した結果が（ｄ）表である。
【０１４７】
［ノセ強調手段］
まず、ノセ強調を行う際の基本的な考え方について図３２を用いて説明し、続いて、ノセ強調手段で行う具体的な計算の仕方を、前述の式（Ｃ）を用いて説明する。
【０１４８】
（ノセ強調の考え方）
図３２は、ＹＭＣＫの各インキを用いて印刷された印刷物３００と、それに対応するプルーフ３１０を示した概念図である。ここで印刷物３００では、ＹＭＣＫのプロセスカラーが印刷された部分に一部重ねて、また一部はＹＭＣＫに重ならないようにして、特色であるＧＹが上色として印刷された例を示している。以下、下色であるＹＭＣＫのうちのＹを例にあげて説明する。
【０１４９】
図３２の印刷物３００で上色であるＧＹが濃すぎる場合、実際の印刷物においても下色であるＹの存在が確認しにくくなる。そのため、実際の印刷物に忠実な色再現を目指したプルーフでも、印刷物同様に下色であるＹの存在が確認しにくい。しかし、プルーフにおいては実際の印刷物に忠実であるよりも、データに下色のＹが存在するかどうかの確認ができることがより重要となる場合がある。そのような場合に、上色であるＧＹを実際の印刷物３００より薄くなるように、又は、下色のＹを強調してプルーフに表現することで、印刷物における下色の存在をプルーフ上で容易に確認できるようにする。このようなケースは、上色として通常のインキを用いた場合に、ごく普通に生じうる。
【０１５０】
まず、印刷物３００においてＹのみが印刷されている部分の色彩を（２）、Ｙの上にＧＹが印刷されている部分の色彩を（１）、ＧＹだけが印刷されＹが印刷されていない部分の色彩を（４）とする。さらに、対応するプルーフ３１０において、印刷物３００の色彩（１）に対応する部分の色彩（ノセ色）を（３）とする。また、色彩（１）と色彩（３）との色差の絶対値をΔＥ１、色彩（１）と色彩（２）との色差の絶対値をΔＥ２、色彩（２）と色彩（４）との色差の絶対値をΔＥ３とした場合とする。ここで、印刷物とプルーフが完全に同じ色再現を行っている場合は、当然ながらΔＥ１はゼロである。
【０１５１】
ここで、各部分の色彩によりノセ強調を表現すると以下のようになる。上記のように、上色であるＧＹが濃すぎて下色であるＹの存在がプルーフ上で確認できないということは、Ｙと重なり部分との色差ΔＥ２に比べて、ＧＹと重なり部分との色差ΔＥ３が、目視にとっては小さすぎると言うことである。
【０１５２】
従って、この場合に、プルーフのノセ色の色彩（３）を変化させ、有意な結果を得るためには１≦ΔＥ１であることが望ましい。また、色彩（３）は、印刷物の色彩（２）に近づきすぎても意味がないから、ΔＥ１≦ΔＥ２−１となる。従って、ΔＥ１が以下の式（Ａ）を満たすように、色彩（３）を変化させればよい。
１≦ΔＥ１≦ΔＥ２−１・・・・・・・（Ａ）
【０１５３】
上記のケースとは逆に、図３２の印刷物３００で、上色であるＧＹが薄すぎて、下色であるＹの上に印刷されているはずのＧＹの存在がプルーフ上で確認できないという現象も生じうる。これはレアケースであり、上色インキが極薄色インキであるような場合に生じうる。
【０１５４】
このような場合には、上色であるＧＹを実際の印刷物３００より濃くなるように強調して、または、下色のＹを薄くしてプルーフに表現することで、印刷物における下色の存在をプルーフ上で確認できるようにする。
【０１５５】
上記と同じ図３２の色彩及び色差の定義を前提として、上色であるＧＹが薄すぎて下色であるＹの上にあるはずのＧＹの存在がプルーフ上で確認できないということは、ＧＹと重なり部分との色差ΔＥ３に比べて、Ｙと重なり部分との色差ΔＥ２が、目視にとっては小さすぎると言うことである。
【０１５６】
従って、この場合にも、プルーフのノセ色の色彩（３）を変化させ、やはりΔＥ１がゼロより大きくなるようにする。有意な結果を得るためには１≦ΔＥ１であることが望ましい。しかし、色彩（３）は、印刷物の色彩（４）に近づきすぎても意味がないから、ΔＥ１≦ΔＥ３−１も満たす必要がある。従って、ΔＥ１が以下の式（Ｂ）を満たすように、色彩（３）を変化させればよい。
１≦ΔＥ１≦ΔＥ３−１・・・・・・・（Ｂ）
【０１５７】
上記と同様の表現を、プルーフにおける色彩を用いて表現することもできる。すなわち、印刷物３００でＹのみが印刷されている部分に対応するプルーフの部分の色彩を（５）、ＧＹだけが印刷されＹが印刷されていない部分に対応するプルーフの部分の色彩を（６）とする。さらに、色彩（３）と色彩（５）との色差の絶対値をΔＥ４、色彩（３）と色彩（６）との色差の絶対値をΔＥ５とした場合に、印刷物におけるΔＥ２とΔＥ３の差の絶対値よりも、プルーフにおけるΔＥ４とΔＥ５の差の絶対値が小さくなるように、プルーフのノセ色の色彩（３）を調製すればよい。
【０１５８】
いずれにせよ、色彩（３）は、重なり色をある程度表現しながら、しかも上色または下色の存在が確認できる程度に変更される。この変更の程度は、目視に対してどの程度の変更が有効かによって決まり、一定の官能試験により、ある程度の標準的な変更の程度が規定できる。しかし、判断者によって程度が異なるため、ノセ強調の程度は、システム外部からの操作により選択若しくは調整できるようにしている。
【０１５９】
以上のようにすることで、ノセ色の再現は実際の印刷物とは若干異なるものの、印刷物における下色または上色の印刷状態が、プルーフでより的確に判断できるようになる。
【０１６０】
（ノセ強調の演算）
ノセ強調の具体的演算では、上記で説明した式（Ｃ）を用いる。式（Ｃ）を再掲する。
【０１６１】
Ｄｊ＝Ａｊ（Ｕ，Ｏ）×Ｏｊ＋Ｂｊ（Ｏ）×Ｕｊ・・・式（Ｃ）
（ここで、ｊはプルーフ画像を形成する色材（ここではＹ、Ｍ、Ｃの３種）を表し、Ｄｊは、目標印刷物で前記の重ねて印刷される部分に対応するプルーフの画素の、色材ｊの発色値を意味し、係数Ａｊは、あらかじめ与えられた上色のトラッピング率を意味し、係数Ｂｊは、あらかじめ与えられた上色のインキの透明度を意味し、Ｕｊは下色のカラーコレクションテーブルの値を意味し、Ｏｊは上色のカラーコレクションテーブルの値を意味する。また、０＜Ａｊ＜１、０＜Ｂｊ＜１であり、Ｄ（ｊ−１）＝Ｕｊである。）
【０１６２】
この式は、測定装置で測定を行わなかった色の色特性を演算するためのものであるから、ノセ強調を行う場合は、問題となる色については測定の対象とせず、式（Ｃ）でノセ演算を行い、同時にノセ強調演算を行う。
【０１６３】
ノセ強調演算では、上記した二つの場合、すなわち、通常インキを用いた場合に、比較的多く問題が生じて行うべきノセ強調演算と、極薄色インキを用いた場合などに生じるレアケースの場合とで、計算の方向が異なる。まず、前者について説明する。
【０１６４】
（通常インキを用いた場合のノセ強調演算）
この場合、上色の透明度が小さいか、若しくは、上色の１つ以上の要素色濃度が濃すぎる場合であり、上記の問題となる範囲を、経験的に０．９５≧Ｂｊであるか若しくは１つ以上の要素色濃度についてＯｊ≧０．１５である場合と設定している。このような場合には、トラッピング係数Ａｊがあらかじめ与えられた値より小さくなるように変更されると共に、透明度係数Ｂｊがあらかじめ与えられた値より大きくなるように変更される。
【０１６５】
変更の程度は、前述したように目視にとって意味ある程度であるが、具体的には、変更されたトラッピング係数が、あらかじめ与えられたＡｊから０．０３〜０．５を差し引く範囲となるようにしている。好ましくは０．０５〜０．４を差し引く範囲である。また、変更された透明度係数は、あらかじめ与えられたＢｊからの増分が、１−Ｂｊの０．１倍〜１倍となるように設定した。好ましくは、０．２倍〜０．９倍である。
【０１６６】
また、後述するように、ノセ強調手段では、トラッピング係数や透明度係数の変更程度を、上色インキの特性分類ごとに異なる一定の範囲から選択できる選択手段を設けている。インキ分類は次のようなものである。
・金属顔料を含有して透明性の低いシルバーインキ
・金属顔料を含有して透明性の低く着色した色メタリックインキ
・普通インキ  通常の着色顔料や染料を含有したインキ
・普通インキ＋メジウム
・普通インキ＋白インキ
【０１６７】
それぞれのインキ分類に対して、トラッピング係数、透明度係数は以下のように変更し得るように設定されている。
【０１６８】
シルバーインキでは、変更されたトラッピング係数のあらかじめ与えられたＡｊからの増分が、あらかじめ与えられたＡｊの０．６倍〜１倍、好ましくは０．７倍〜０．９５倍。変更された透明度係数は、あらかじめ与えられたＢｊからの増分が、１−Ｂｊの０．１倍〜０．９倍、好ましくは０．２倍〜０．８倍。
【０１６９】
色メタリックインキでは、変更されたトラッピング係数のあらかじめ与えられたＡｊからの増分が、あらかじめ与えられたＡｊの０．６倍〜１倍、好ましくは０．７倍〜０．９５倍。変更された透明度係数は、あらかじめ与えられたＢｊからの増分が、１−Ｂｊの０．１倍〜０．８倍、好ましくは０．２倍〜０．７倍。
【０１７０】
普通インキでは、変更されたトラッピング係数のあらかじめ与えられたＡｊからの増分が、あらかじめ与えられたＡｊの０．５倍〜１倍、好ましくは０．６倍〜０．９５倍。変更された透明度係数は、あらかじめ与えられたＢｊからの増分が、１−Ｂｊの０倍〜０．０５倍、好ましくは０．０１倍〜０．０５倍。
【０１７１】
これらのパラメータは、インキ分類テーブルに格納され、選択手段からいずれかのインキ分類が選択された場合に、対応するパラメータがテーブルから読み出されて、式（Ｃ）によりＤｊが演算される。
【０１７２】
なお、２種以上のインキの調合による場合は、それぞれのインキの調合比率に応じてそれぞれの好ましい値の間からパラメータが選べるようになっている。また、３種以上のインキの調合による場合は、比率の大きいものから２種のみを用いるようにしており、これでよい近似が得られる。
【０１７３】
さらに、ノセ強調手段では、ノセ強調の程度を三段階で選択できる選択手段を設けている。１段階目では、変更されたトラッピング係数は、あらかじめ与えられたＡｊから０．０３〜０．１５を差し引くようにしている。また、変更された透明度係数は、あらかじめ与えられたＢｊからの増分が、１−Ｂｊの０．１倍〜０．３５倍となるようにしている。
【０１７４】
２段階目では、変更されたトラッピング係数は、あらかじめ与えられたＡｊから０．１５〜０．２５を差し引くようにしている。また、変更された透明度係数は、あらかじめ与えられたＢｊからの増分が、１−Ｂｊの０．３５倍〜０．７倍となるようにしている。
【０１７５】
３段階目では、変更されたトラッピング係数は、あらかじめ与えられたＡｊから０．２５〜０．４を差し引くようにしている。また、変更された透明度係数は、あらかじめ与えられたＢｊからの増分が、１−Ｂｊの０．７倍〜１倍となるようにしている。
【０１７６】
このように、選択可能とすることで、操作者ごとに異なる判断に対応すると共に、操作が容易となるように工夫している。
【０１７７】
（極薄色インキを用いた場合のノセ強調演算）
逆に、極薄色インキを用いたような場合は、透明度係数Ｂｊが１に近く、つまり透明に近く、かつ上色の全ての要素色について薄い場合であり、このような場合を、経験的に０．９５＜Ｂｊで、かつ全ての要素色についてＯｊ＜０．１５である場合として規定している。このような場合には、前記Ａｊがあらかじめ与えられた値より大きくなるように変更されると共に、前記Ｂｊがあらかじめ与えられた値より小さくなるように変更される。
【０１７８】
変更されたトラッピング係数は、あらかじめ与えられたＡｊに、０．０３〜０．５を加算して求める。好ましくは０．０５〜０．４を加算する。また、変更された透明度係数は、あらかじめ与えられたＢｊからの増分が、あらかじめ与えられたＢｊの０．１倍〜０．９倍、好ましくは０．２倍〜０．８倍となるようにしている。
【０１７９】
また、前記したようなインキ特性分類の選択は、この場合はインキ種が限られるため必要ではなく、常に、変更されたトラッピング係数は、あらかじめ与えられたＡｊに０．０３〜０．５を加算して求めるようにしている。好ましくは０．０５〜０．４を加算する。変更された透明度係数は、あらかじめ与えられたＢｊからの増分が、あらかじめ与えられたＢｊの０．１倍〜０．９倍、好ましくは０．２倍〜０．８倍となるようにしている。
【０１８０】
さらに、前記したような三段階の選択も可能である。ここでは、１段階目は、変更されたトラッピング係数は、あらかじめ与えられたＡｊに０．０３〜０．１５を加算して求める。また、変更された透明度係数は、あらかじめ与えられたＢｊからの増分が、あらかじめ与えられたＢｊの０．７倍〜０．９倍としている。
【０１８１】
２段階目では、あらかじめ与えられたＡｊに０．１５〜０．２５を加算して求める。また、変更された透明度係数は、あらかじめ与えられたＢｊからの増分が、あらかじめ与えられたＢｊの０．５倍〜０．７倍としている。
【０１８２】
３段階目では、あらかじめ与えられたＡｊに０．２５〜０．４を加算して求める。また、変更された透明度係数は、あらかじめ与えられたＢｊからの増分が、あらかじめ与えられたＢｊの０．１倍〜０．５倍としている。
【０１８３】
そして、これらのように変更された係数ＡｊとＢｊから、式（Ｃ）を経てＤｊが演算される。これによりノセ強調が行われる。
【０１８４】
（ノセ強調の操作）
システムにおけるノセ強調の操作としては、ＧＵＩ２００で図１３に示す画面を読み出し、ノセ色（画素色）を選択して、画面右側の上段の濃度Ｄｙ、Ｄｍ，Ｄｃを下段のように調整できるようにしている。
【０１８５】
また、指定は、図１３の画面では隠れているが、選択窓が閉じた図１５からわかるように、操作者がＬ＊、ａ＊、ｂ＊で指定して調整できる。なお、指定されたＬ＊、ａ＊、ｂ＊は、パラメータ演算手段９で測定値ともに加減算されて（図４のＳ４ｂ）、レンダリング手段１０へ送られる。
【０１８６】
また、すでに説明したように、ＧＵＩ手段２００には、表示手段により表示された操作画面が参照され、操作手段からインキ分類が選択入力されることにより、ノセ強調の程度を変更させることができる選択手段を備えている。また、同様に、操作画面が参照されて、操作手段から強調程度を選択入力できる選択手段を備えている。
【０１８７】
［レンダリング手段１０とその画面］
レンダリング手段１０による補正では、印刷用紙の紙質による補正、濃度域のよる好ましい色調の補正等を行う。例えば、目標印刷物に対して、シアン、マゼンタ、イエローを発色可能なハロゲン化銀乳剤層を有するハロゲン化銀感光材料を用いてプルーフ画像を形成する場合、その着色剤の性質や用いられる用紙の差異などに起因して、必ずしも同一の濃度、色調に合わせることが目視での近似性に関して最適になるとは限らない場合がある。レンダリング手段１０は、その用紙等の差を調整するための手段である。これは変更手段の一部である。対象とする用紙としては、アート紙・コート紙、マット紙、上質紙・色上質紙等を設定できる。
【０１８８】
ＧＵＩ２００で図１７に示す画面を読み出し表示されるので、操作者はそれを見ながら調整・設定ができる。調整・設定された情報やパラメータは、測定装置３で測定された、或いはノセ演算手段９でＬ＊、ａ＊、ｂ＊とともに、レンダリング手段１０で演算されて変換手段１１へ送られる（図４のＳ５−ＹＥＳ，Ｓ５ａ、Ｓ５ｂ）。
【０１８９】
次に、レンダリング手段における用紙等の設定について説明する。
印刷用紙の設定が図１７の画面で設定できるが、その印刷用紙に上質紙等を用いた印刷物は仕上がりの濃度が低く、比較的薄い画像が形成される。この場合、ハロゲン化銀感光材料のプルーフにおいては、濃度、色調の数値で近似させた画像はコントラストの不足した画像になる場合がある。その場合「レンダリング設定」画面において、コントラストを高めるような調整を行う。また、同様に上質紙に印刷された印刷物上のＫ（墨、ブラック）色の文字品質に関して、視認性を上げる目的で、墨版の画像が存在する領域、すなわち墨色とオーバープリントの部分のコントラストを高めるための操作を行うのが「レンダリング設定」画面中の低濃度補正である。また、墨の濃度については、単独で調整可能な設定画面を有している。
【０１９０】
また、印刷用紙の種類としては、多くの場合、アート紙、コート紙の群、マット紙の群、上質紙の群の３段階に分けることでほぼ所望の結果を得ることが可能となる。同じ上質紙に分類される印刷用紙でも着色の度合いによって補正のレベルを変えることが好ましい。
【０１９１】
また、プルーフ画像出力装置１やインキ、印刷条件などによって印刷用紙、あるいは転写済みのインキ上へのかさね色インキの転写量が様々である。前述のトラッピング量に応じてその着色量の計算を調整するのが「レンダリング設定」画面中のトラッピング補正である。
【０１９２】
［変換手段］
画像情報処理装置１００の変換手段１１は、記憶手段１３から、先に記憶しておいた濃度特性ファイル（図４のＳ１００）を読み出し、濃度特性ファイルの座標空間に、つまり図６のように前記測定装置３が測定したＬ＊、ａ＊、ｂ＊を当てはめ、測定したＬ＊、ａ＊、ｂ＊に相当するＹ、Ｍ、Ｃに分解した濃度Ｄｙ，Ｄｍ，Ｄｃに変換する（図４のＳ６）。なお、測定したＬ＊、ａ＊、ｂ＊と濃度特性ファイルのＬ＊、ａ＊、ｂ＊とが一致しない場合は、測定したＬ＊、ａ＊、ｂ＊に一番近い濃度特性ファイルのＬ＊、ａ＊、ｂ＊の値で代用してＤｙ、Ｄｍ、Ｄｃを決定してもよい。また、測定した目標印刷物のＬ＊、ａ＊、ｂ＊に近い複数のデータから演算することによって求めることができる。具体的な方法としては、重回帰によってＬ＊、ａ＊、ｂ＊の変化がＤｙ、Ｄｍ、Ｄｃにどのように影響するかを求め、この結果から推定する方法等がある。変換手段を経ることにより、カラーコレクションテーブルの原型ができあがる。
【０１９３】
［機器補正手段］
画像情報処理装置１００の機差補正手段１２は、予め記憶しておいた機差データ（請求項の標準データ；図４のＳ２００）により露光手段の特性のバラツキによる濃度を補正する。露光デバイスとしてＬＥＤを使う場合、特開２００２−７２３６７号に記載のように駆動電流により最大発光波長がずれる現象があり、この特性はデバイスにより変動するし、同じ駆動電流を流してもデバイスにより発光量が変動する。これらの特性はひとまとめにして機差として扱うことが機構の簡素化の観点から有利である。
【０１９４】
機差データは、感材特性テーブルの作成と同様に、規定の露光量で感光材料を露光後現像処理を行い、得られたパッチを濃度測定し、基準機での濃度と評価しようとする機器の濃度（あるいはその差分）の対応としてテーブルを作成することができる。
【０１９５】
変換手段１１で作成されたカラーコレクションテーブルの各欄の数値は、機差補正手段１２によって機差を補正されカラーコレクションテーブルが完成される。
【０１９６】
［単色エジットとエジット手段１４］
図３のエジット手段１４は、カラーコレクションテーブルのデータを個々に微調整するための機能である。印刷出力したものを再調整する場合に有効である（図４のＳ１０、Ｓ１２）。図１１のメイン画面中のプルダウンメニュー、図１４で調整したい色を選択する。図１４の画面には目標とする印刷物の色調と、計算上で設定されたカラーコレクションで生成されるプルーフの色調と、そこからカラーコレクションを調整したときに変動する色調をシミュレートした色調が表示手段４上に表示される。これらの色調と出力試料および目標印刷物を参照しながら色調を画面の調整ボタンで調整する。調整設定された条件をもとにカラーコレクションテーブルを演算し、演算後この値を用いて再計算を行って（シミュレート演算）表示する（図４のＳ１２）。
【０１９７】
［画像データから露光データへの変換処理流れ］
ハロゲン化銀感光材料を用いた例について説明すると、画像データ（濃度データ）は、最終的に各画素ごとの露光量データに変換され、露光手段に転送され画像露光が行われる。画像データから露光手段へのデータ転送のフローを図３０に示す。
【０１９８】
画像データ（濃度データ）から画像出力に用いられる露光データへの変換過程の一例を図２８および図２９に示した。
【０１９９】
ここで、図２８及び図２９を基に、図３０を用いて画素ごとの露光量を得る手法について説明しておく。まず、データを読み込む画素の番号（カウンタ：ｉ）を１に設定し（図３０のＳ２１）、画素１におけるＹ、Ｍ、Ｃ、Ｋ、特色があるか否かを表す画像データを図２８（ａ）表のように読み込む（Ｓ２２）。次にどの色が発色しているのかを組み合わせて画素の色を判断する（Ｓ２３）。これはテーブルを参照することにより達成される。たとえば図２８（ａ）表における画素１ではＹのみが発色しているので画素の色の図２８（ｂ）の判別テーブルのＹのみが１になっている欄で、画素の色はＹであると判断される（図２８（ｃ））。画素３ではＹとＭが発色しているため画素の色はＲとなる。同様に画素４はＫのみ発色しているため色もＫであり、画素５はＫとＭが発色しているので画素の色はオーバープリント色であるＫ＋Ｍとなる。こうした変換により図２８（ｃ）のように画素別画像データを作成する。次に、この色を作り出すためにＹ、Ｍ、Ｃ各画像形成層に与えるべき露光量を図２９（ｅ）のテーブルから読みとり（図３０のＳ２４）、各画素ごとに各層に与える露光量を並べた画像データとし、このデータをプルーフ画像出力装置１（露光手段）へ転送する（図３０のＳ２５）。
【０２００】
この作業の具体的な流れを、ハロゲン化銀感光材料の特性をアナリティカル濃度（１００倍して整数化してある）で表した例で説明する。画素の色から色ごとの各感光層の濃度テーブル図２９（ｄ）（カラーコレクションテーブル：ここでは、濃度値をコード化して示した。）を参照して各層のアナリティカル濃度を求める。この例では、図２９（ｄ）では、画素１はＹのみレベル１（アナリティカル濃度１１０）に発色させることがわかる。これを基に図２９（ｆ）の感光材料特性テーブルからＹの露光量はレベル（ｎ−４）であることが分かる。同様にしてＭ、Ｃについて露光量レベルを決めることができる。このようにして図２９（ｇ）の画素ごとの露光量データが作成される。
【０２０１】
画素ごとの処理が終わるとカウンタを＋１して次の画素についての処理を行う。以下これを繰り返し各画素ごとの露光量のデータを作成する。画像出力手段へのデータ転送のタイミングは画素単位で行ってもよいし、１回の主走査に必要なデータの処理が終わった時点でもよいし、全てのデータ処理が終了した時点であってもよい。画像出力手段ではこのデータを必要に応じてデバイスを制御する信号に変換して露光を行う。
【０２０２】
プルーフ画像出力装置１では、前記画素ごとの露光量データをもとに必要に応じて露光手段の駆動信号に変換し露光を行う。この露光手段の駆動信号に変換するプロセスは、制御手段に含ませることもできる。プルーフ画像出力装置１では、必要に応じてデータバッファを用いて露光のタイミングを調整してもよい。
【０２０３】
この時に想定したデータの構造を図２８、２９に示した。画像データとしては、画素の順に各色が発色しているかどうかのデータのみを持つものと想定した。Ｙ、Ｍ、Ｃ、Ｋ、特色の発色の有無の組み合わせのパターンから、テーブルを参照して画素の色が判断される。次に画素の色とＹ、Ｍ、Ｃ画像形成形成層の露光量のテーブルを参照し各層に与えるべき露光量が決定される。画素の色を判断する所と画素の色から各画像形成層の露光量を決定する所を分離しているのは、例えばＲを単色のＹとＭの単なる足し算ではなく独立に設定できるようにしたもので、要求する仕様により単純な足し算で表現してもよい。このように独立して設定できるようにすることで、より印刷に近似な画像を得ることができるし、また２つの画像データを使って緑と赤の２色で印刷するような場合の画像のチェックにも用いることができ、有用性の高いシステムが実現できる。
【０２０４】
上記の説明は、露光デバイスが一つのケースについて述べているが、露光デバイスが副走査方向に１０個並べられている場合であれば、画素１〜１０が副走査方向に並んだ画素を表し、主走査方向に１画素分ずれたデータは画素１１〜２０で表すというように読み替えて考えればよい。
【０２０５】
［実施例、比較例で用いた実験条件］
これから説明する実施例、比較例で用いた実験条件を説明する。
【０２０６】
（印刷条件）
特色Ｓ１（メジウム含有量多い透明な薄緑インキ）及び特色Ｓ２（透明度低い金属銀色インキ）を用いて目標印刷物を作成した。また、各種条件を変えてカラーコレクションテーブルを作成する。詳細条件は次の通りとした。
・プロセスインキ：大日本インキ化学工業（株）製  スペースカラー  バリウスＧ
・特色インキ色Ｓ１：大日本インキ化学工業（株）製  Ｆグロスメジウム  ７５．１％、カラーガイド用グリーン２１．８％、ＦＧ４５透明黄３．１％    ＤＩＣ  Ｎｏ．１５
・特色インキ色Ｓ２：大日本インキ化学工業（株）製  ＮＣＰシルバー  （銀色）ＤＩＣ  Ｎｏ．６２１
・透明性成分：着色性成分      Ｓ１  ７５．１：２４．９    Ｓ２  ０：１００
・刷り順：Ｋ→Ｃ→Ｍ→Ｙ→Ｓ１→Ｓ２
・印刷機：ローランド  Ｒ７０４
・用紙：三菱製紙株式会社製の特菱アート  １１０ｋｇ／四六判版  ＫＰＧサーマルＣＴＰプレート  ＴＰ−Ｒ
・スクリーン：１７５線  チェーンドット
・目標濃度値（ＤＩＮ−ＮＢ）：Ｙ＝１．１、Ｍ＝１．５、Ｃ＝１．５、Ｋ＝１．８
・目標ドットゲイン：１７％（５０％部）
【０２０７】
（目標印刷物の測定条件）
特菱アート１１０ｋｇを２枚重ねで机上に敷いた上に目標印刷物を置き、測定装置３としてエックスライト社製５２８型濃度計を用いてＬ＊ａ＊ｂ＊値を測定した。また、目標印刷物の作成：特色２版を含む計６版の各インキ単独及び種々の組み合わせで刷り重ねた印刷物を用意した。
【０２０８】
（ハロゲン化銀感光材料及び現像処理）
以下の実施例、比較例で用いたハロゲン化銀感光材料としては、特開２００２−３４１４７０号公報の実施例１に記載のハロゲン化銀感光材料Ｎｏ．１０１を用い、上記の露光手段（露光ヘッド）により、Ｂ、Ｇ、Ｒの光源を発光強度を変えて単独で発光させ、露光後、特開２００２−３４１４７０号公報の実施例１に記載の現像処理を行った。この試料のＹ、Ｃ、ＭのステータスＴ濃度を測定し、光量−発色濃度の対応を表す感材特性テーブルを得た。結果を図５に示す。光量値は最大光量を４０００とした相対値で表示した。
【０２０９】
（ブルーフの検版性及び印刷物との色調近似性の判断手法）
１０段階で目視によるランク評価を行った。ランク１０が最もよく、プルーフとしての実用上の下限がランク５であり、ランク５未満はプルーフとしての使用に適さないレベルである。ランクは評価者５人の平均値を用いた。
【０２１０】
【実施例１】
６色測定した値からのノセ演算による再現色の例である。Ｙ、Ｍ、Ｃ、Ｋ、特色Ｓ１、特色Ｓ２のみを測定し、その他のデータを演算によって求め、図１０に示すカラーコレクションテーブルを得た。
【０２１１】
前記印刷条件で、特色２版を含む計６版で作成した物を用意し、同じ画像データから図８、１０、１２のカラーコレクションテーブルを使用してプルーフ画像を作成した。このプルーフ画像を比較したところ、いずれもどこに特色が使われているか、特色の画像の下になった画像が透けて見えるようになっているかどうかなどのチェックが容易にできる画像を得ることができた。６色の基本色の測定から求めたカラーコレクションテーブルを用いた場合でも、検版性の観点からは十分な性能を有していた
【０２１２】
【実施例２】
１８色測定した値からのノセ演算による再現色の例である。オーバープリント色を含む１８色を測定し、その他のデータを演算によって求め、図１９に示すカラーコレクションテーブルを得た。
【０２１３】
前記印刷条件で、特色２版を含む計６版で作成した物を用意し、同じ画像データから図８、１０、１９のカラーコレクションテーブルを使用してプルーフ画像を作成した。このプルーフ画像を比較したところ、いずれもどこに特色が使われているか、特色の画像の下になった画像が透けて見えるようになっているかどうかなどのチェックが容易にできる画像を得ることができた。
【０２１４】
画質的にも全６４色を測定したカラーコレクションテーブルを使った場合と遜色のない画像を得ることができた。
【０２１５】
カラーコレクションテーブルの作成に必要なデータ数より少ないデータにより画像データの妥当性を検証するに足るプルーフ画像を得ることが可能であることが分かった。
【０２１６】
【実施例３】
他の条件によるカラーコレクションテーブル作成例である。上記実施例１におけるカラーコレクションテーブル図１０は、特定色の濃度Ｄｊ（透過濃度に対応）を上記式（Ｃ）、つまり
Ｄｊ＝Ａｊ（Ｕ，Ｏ）×Ｏｊ＋Ｂｊ（Ｏ）×Ｕｊ
において、Ａｊ＝Ｂｊ＝１として求めたものである。
【０２１７】
ここで、Ａｊ、Ｂｊを組み合わせて図１９に示すカラーコレクションテーブルを作成し、実施例１と同様にプルーフ画像を作成したところ、図８のカラーコレクションテーブルを使ったものとあまり差のない画質のプルーフ画像が得られた。
【０２１８】
【実施例４】
単独の特色からのカラーコレクションテーブル作成例である。次に、式（Ｃ）の係数Ａｊ、Ｂｊを適宜変化させて組み合わせて作成したカラーパッチを出力し、これを選択することにより、図２０のカラーコレクションテーブルを作成するようにし、プルーフ画像を作成した。このとき、特色インキを刷り重ねた印刷物は用いずに、特色インキ単独の印刷物のみを用いた。図２０のカラーコレクションテーブルを用いた場合も図１９のカラーコレクションテーブルを用いた場合と同様のプルーフ画像を得ることができた。つまり、特色インキ単独の様子から推測することができるという効果、全測定しなくとも単独の特色だけでもカラーコレクションが作れるという大きな改善効果が認められることが分かった。
【０２１９】
【実施例５】
ノセ強調演算の例である。実施例１において使用した目標印刷物の特色インキＳ２のすり重ね部分の透明度、トラッピング率を調整して図２１のカラーコレクションテーブルを作った。上記透明度、トラッピング率の変更以外は、実施例１と同様にして印刷して出力した。実際の目標印刷物よりもシルバーインキのすり重ね部分の色の重なり状態が容易に判別できる様になり、検版作業が容易になった。
【０２２０】
【実施例６】
印刷物において上色としてブラックインキを重ねた場合に、ノセ強調を行なうことにより、ノセ色において下色のインキの色彩を強調してプルーフを作成した例である。
【０２２１】
シアン、マゼンタ、イエロー、ブラックの４版からなる人物及び風景の自然画像と、各版の重ね合わせパターンのパッチを含むデジタル画像データを用い、シアン、マゼンタ、イエロー、ブラックの刷り順で、一般的な印刷条件により印刷物を作成した。
【０２２２】
次に、シアン、マゼンタ、イエローに対しブラック版を重ねるときのパラメータを印刷物の色彩値から得られる値から変化させ、ノセ色において下色を強調するように調製したプルーフ試料１０２〜１０４を作成した。使用したパラメータと主な下色との色差を表１に示す。
【０２２３】
自然画像とパッチそれぞれに対し、検版性及び印刷物との色調近似性について１０段階で目視によるランク評価を行った。結果を合わせて表１に示す。
【０２２４】
【実施例７】
印刷物の色彩値通りにノセ色の露光量を調整した以外は、実施例６と同様にしてプルーフ試料１０１を作成して評価した。結果を表１に示す。
【０２２５】
【表１】
2004295053.tif 000003
【実施例８】
印刷物において特色版を重ねた場合に、ノセ強調を行ってプルーフを得た例である。
【０２２６】
シアン、マゼンタ、イエロー、ブラック及び特色の５版からなる、文字を含む各版の重ね合わせパターンのパッチを有するデジタル画像データを用い、表２に示す通常インキまたは極薄色のインキ５種のそれぞれについて、シアン、マゼンタ、イエロー、ブラック、特色の刷り順で、一般的な印刷条件により作成した印刷物に対し、シアン、マゼンタ、イエロー、ブラックに対し特色版を重ねるときのパラメータを変化させて求めた色彩値を目標に調整したプルーフ試料２１１〜２１５を作成した。パラメータ、色差は合わせて表２に示す。
【０２２７】
実施例６と同様に、検版性及び印刷物との色調近似性について１０段階で目視によるランキング評価を行った。結果を表２に示す。
【０２２８】
【実施例９】
実施例７において、ノセ強調を行なわない以外は同様にしてプルーフを得た例である。印刷物の色彩値を目標にベタ色の露光量を調整したプルーフ試料２０１〜２０５を作成した。パラメータ、色差は合わせて表２に示す。
【０２２９】
実施例７と同様に、検版性及び印刷物との色調近似性について１０段階で目視によるランキング評価を行った。結果を表２に示す。
【０２３０】
【表２】
2004295053.tif 000004
【実施例１０】
トラッピング補正の例である。実施例２において使用した目標印刷物を再現するカラーコレクションのマゼンタおよびＧｙの設定を図２２のように変更した以外は同様にして評価を行った。評価結果としては、目視の観察で出力画像のグレー部分の赤みと赤成分の多い画像領域のバランスが、より目標印刷物の色に近づけられた。
【０２３１】
【実施例１１】
上質紙（濃度の薄い目標印刷物）の変更の例である。実施例１で用いた目標印刷物の作成において、印刷用紙を大昭和製紙（株）製の上質紙「しらおい」に変更し、ＣＭＹＫ版のみで、特色版を用いずに印刷物を作成した。これを実施例１と同様な手順で図２３のカラーコレクションテーブルを作成した。アート系の印刷物と同様に良好な目標印刷物近似性を得られた。
【０２３２】
次に、図２４のカラーコレクションテーブルの様にＫにかかわる色のカラーコレクション部を変更した以外は同様にして画像出力を行った。図２３のものに対して、文字部分の視認性がより印刷物に近似できた。
【０２３３】
【実施例１２】
特色エジットの例である。実施例３において出力サンプルの特色Ｓ１および特色Ｓ２の色調を目視で目標印刷物と見比べ、図１４のエジット画面上に表示される画面の色を参考にカラーコレクションを図２５から２６へ微調整した。その後、その変更に伴い、関連する色のカラーコレクション設定を図２６のように変更して出力比較した。結果として、上記の微調整により特色ノセ部分の目視での近似性がさらに向上した。
【０２３４】
【比較例１】
実施例３において使用した目標印刷物のＳ１およびＳ２の特色インキのすり重ね部分の設定を、Ｓ１とＳ２それぞれの単独の色で設定した図２７のカラーコレクションテーブルに変更した以外は実施例２と同様に画像出力を行った。特色のノセ色が設定されていないため、目標印刷物のすり重ね部分の微妙な色の差が表現されないため、検版性が満たされなかった。
【０２３５】
【実施例１３】
検版性の実証例である。ＣＭＳ（カラーマネジメントシステム：別の色あわせソフト）をコニカカラーマネジメントシステム（コニカ（株）製）と併用した例を以下に説明する。
【０２３６】
コニカ（株）製Ｃｏｌｏｒｃｏｎｔｒｏｌ−ＰＭ  Ｐｒｏを用いて、目標とする印刷物および実施例１のプルーフ出力物のＩＳＯ１２６４２標準カラーチャート中の５９３点をグレタグマクベス社製Ｓｐｅｃｔｒｏｓｃａｎを用いて測定し、それぞれのＩＣＣ  ｐｒｏｆｉｌｅを作製した。続いて、コニカ（株）製Ｃｏｌｏｒｃｏｎｔｒｏｌ−ＬＭ  Ｐｒｏを用いて、前記２つのＩＣＣ  ｐｒｏｆｉｌｅからデバイスリンクプロファイルを作成した。計算条件はレンダリングモードは相対白色、白地設定無し、にごり除去／ベタ保持条件は、中間のＫＣＭＹを全てＯＮ、ベタのＫＣＭＹＲＧＢを全てＯＮで行い、計算後の微調整（エディット）はおこなわずにデバイスリンクプロファイルを作成した。このデバイスリンクプロファイルをコニカＯＬシステムｖｅｒ．５．０を介して画像データをＫＣＭＹ版のみ１ｂｉｔ  ＴＩＦＦ形式に網点分版した。
【０２３７】
特色版に関しては、実施例１と同じ１ｂｉｔ  ＴＩＦＦ形式のデータを用いた。結果は、検版性を損ねることなくさらにグレーなどの、中間調の色調の近似性がより向上した。
【０２３８】
以上、実施例、比較例により本発明を説明したが、本発明は種々の変形が可能であり、上記の実施例または実施の形態で説明した具体的構成に限定されるものではない。
【０２３９】
【発明の効果】
印刷物の仕上がりを事前に確認するプルーフを精度良く生成できる。また、プルーフ生成に用いる濃度データをテーブルで管理し、ＧＵＩにより容易に変更できることから、下色や上色の状態を確認しやすくするなど、所望の色に加工することができる。また、感光材料や現像液の経年変化等を補正することができ、これらに起因する画質劣化を防止して再現色のよい画像ができる効果がある。少ない測定データから、種々の印刷条件に対応した高画質のプルーフ画像を得ることのできるデジタルカラープルーフを実現することができる。
【図面の簡単な説明】
【図１】画像における網点と画素の関係を説明するための概念図である。
【図２】画像出力システムの全体構成例を示すブロック図である。
【図３】画像情報処理装置の機能構成を示すブロック図である。
【図４】図３の機能構成の動作フローを説明するための図である。
【図５】感材（感光材料）特性テーブルの例を示す図である。
【図６】色空間座標の模式図である。
【図７】光量と濃度の組み合わせの例を示す図である。
【図８】実施例１で全色測定して作成したカラーコレクションテーブルを示す図である。
【図９】実施例１で計算して作成したカラーコレクションテーブルを示す図である。
【図１０】実施例２で作成したカラーコレクションテーブルを示す図である。
【図１１】ＧＵＩによる操作メイン画面の例を示す図である。
【図１２】ＧＵＩによる印刷ターゲットの条件設定画面の例を示す図である。
【図１３】ＧＵＩによるノセ色の選択画面において選択枝が表示された状態の例を示す図図である。
【図１４】ＧＵＩによる濃度特性の選択画面の例を示す図である。
【図１５】ＧＵＩによるノセ色の選択画面の例を示す図である。
【図１６】ＧＵＩによるインキ設定画面の例を示す図である。
【図１７】ＧＵＩによるレンダリング設定画面の例を示す図である。
【図１８】ＧＵＩによる測定フィードバック画面の例を示す図である。
【図１９】実施例１で作成したカラーコレクションテーブルを示す図である。
【図２０】実施例３で作成したカラーコレクションテーブルを示す図である。
【図２１】実施例１で作成したカラーコレクションテーブルを示す図である。
【図２２】実施例２で補正した個所を示す図である。
【図２３】実施例３で作成したカラーコレクションテーブルを示す図である。
【図２４】実施例３で作成した他のカラーコレクションテーブルを示す図である。
【図２５】実施例４で調整変更内容を示すテーブルを示す図である。
【図２６】実施例４で作成したカラーコレクションテーブルを示す図である。
【図２７】実施例５で比較したカラーコレクションテーブルを示す図である。
【図２８】画素ごとの発色有無の測定データから、画素ごとの色データを特定する概略フローを示した図である。
【図２９】露光量への変換を説明するための図である。
【図３０】画素ごとの露光量への変換フローを示す図である。
【図３１】インキで表現される色の表記を示す図である。
【図３２】印刷物等における各印刷部分間の色差の定義を示した概念図である。
【符号の説明】
１  プルーフ画像出力装置
２  目標印刷物
３  測定手段（取得手段）
４  表示手段
５  操作手段
６  パネルコントロール
７  表示情報記憶手段
８  制御部
９  パラメータ演算手段（ノセ演算手段）
１０  レンダリング手段
１１  変換手段
１２  機差補正手段
１３  記憶手段
１５  網点データ生成部
１００  画像情報処理装置
１００ａ  ＣＰＵ
１００ｂ  メモリ
２００  ＧＵＩ
３００  印刷物の例
３１０  対応するプルーフの例
【図１】
2004295053.tif 000005
【図２】
2004295053.tif 000006
【図３】
2004295053.tif 000007
【図４】
2004295053.tif 000008
【図５】
2004295053.tif 000009
【図６】
2004295053.tif 000010
【図７】
2004295053.tif 000011
【図８】
2004295053.tif 000012
【図９】
2004295053.tif 000013
【図１０】
2004295053.tif 000014
【図１１】
2004295053.tif 000015
【図１２】
2004295053.tif 000016
【図１３】
2004295053.tif 000017
【図１４】
2004295053.tif 000018
【図１５】
2004295053.tif 000019
【図１６】
2004295053.tif 000020
【図１７】
2004295053.tif 000021
【図１８】
2004295053.tif 000022
【図１９】
2004295053.tif 000023
【図２０】
2004295053.tif 000024
【図２１】
2004295053.tif 000025
【図２２】
2004295053.tif 000026
【図２３】
2004295053.tif 000027
【図２４】
2004295053.tif 000028
【図２５】
2004295053.tif 000029
【図２６】
2004295053.tif 000030
【図２７】
2004295053.tif 000031
【図２８】
2004295053.tif 000032
【図２９】
2004295053.tif 000033
【図３０】
2004295053.tif 000034
【図３１】
2004295053.tif 000035
【図３２】
2004295053.tif 000036